(57)【要約】【課題】表示装置を利用しているユーザに合った設定に容易に切り換えることができる表示装置を提供する。【解決手段】映像を表示する表示部２５を備え、操作端末によって操作される表示装置１０であって、自装置の動作を実行する実行部１２と、操作端末から送信された、該操作端末を使用しているユーザを識別するための識別情報を含む信号を受信するリモコン受光部２０とを備え、実行部１２は、識別情報と、実行部１２が動作を実行する際の設定情報との対応情報を複数記録する記録部２２が記録する複数の対応情報の中から、リモコン受光部２０が受信した識別情報に対応する設定情報を取得し、取得した設定情報で動作を実行する。【選択図】図１
2011229135.tif 000002
【特許請求の範囲】
【請求項１】
映像を表示する表示部を備え、操作端末によって操作される表示装置であって、
自装置の動作を実行する実行手段と、
上記操作端末から送信された、該操作端末を使用しているユーザを識別するための識別情報を含む信号を受信する受信部とを備え、
上記実行手段は、上記識別情報と、上記実行手段が上記動作を実行する際の設定情報との対応情報を複数記録する記録部が記録する複数の対応情報の中から、上記受信部が受信した識別情報に対応する上記設定情報を取得し、取得した上記設定情報で上記動作を実行することを特徴とする表示装置。
【請求項２】
上記実行手段は、上記映像の画質を調整し、調整された映像を上記表示部に表示する画質調整手段を含み、
上記設定情報は、上記画質調整手段が上記画質を調整するための設定値であり、
上記画質調整手段は、上記受信部が受信した識別情報に対応する上記設定値を取得し、取得した上記設定値で上記画質を調整することを特徴とする請求項１に記載の表示装置。
【請求項３】
音声を出力する音声出力部を備え、
上記実行手段は、上記音声の音質を調整し、調整された音声を上記音声出力部に出力する音質調整手段を含み、
上記設定情報は、上記音質調整手段が上記音質を調整するための設定値であり、
上記音質調整手段は、上記受信部が受信した識別情報に対応する上記設定値を取得し、取得した上記設定値で上記音質を調整することを特徴とする請求項１に記載の表示装置。
【請求項４】
上記受信部を介してのユーザからの指示により、上記設定値を決定し、決定した上記設定値を上記識別情報と対応づけて上記記録部の上記対応情報に登録する登録手段を備えていることを特徴とする請求項２又は３に記載の表示装置。
【請求項５】
上記記録部は、上記識別情報と優先度とを対応付けて記録しており、
上記受信部が所定時間内に複数の異なる上記識別情報を受信した場合、上記実行手段は、複数の上記識別情報のうち、上記優先度の高い識別情報に対応する上記設定情報で上記動作を実行することを特徴とする請求項１〜４のいずれか１項に記載の表示装置。
【請求項６】
上記受信部が所定時間内に複数の異なる上記識別情報を受信した場合、上記実行手段は、複数の上記識別情報に対応する複数の上記設定情報を取得し、取得した複数の設定情報のうち、最も多い設定情報で上記動作を実行することを特徴とする請求項１〜４のいずれか１項に記載の表示装置。
【請求項７】
上記受信部が所定時間内に複数の異なる上記識別情報を受信した場合、上記実行手段は、複数の上記識別情報に対応する複数の上記設定値を取得し、取得した複数の設定値の平均値で上記動作を実行することを特徴とする請求項２〜４のいずれか１項に記載の表示装置。
【請求項８】
上記受信部が第１の所定時間内に複数の異なる上記識別情報を受信した場合、上記実行手段は、第２の所定時間内に上記識別情報をそれぞれ受信した比率と、受信した識別情報に対応する上記設定情報とに基づき、上記動作を実行すべき設定情報を決定し、決定した設定情報で上記動作を実行することを特徴とする請求項１〜４のいずれか１項に記載の表示装置。
【請求項９】
番組の放送波を受信する放送波受信部と、
上記放送波受信部が受信する番組に関する番組情報を取得する取得手段とを備え、
上記実行手段は、上記取得手段が取得した番組情報に基づき番組表を作成し、作成した番組表を上記表示部に表示する番組表作成手段を含み、
上記設定情報は、上記ユーザが過去に視聴した番組の視聴履歴情報であり、
上記番組表作成手段は、上記受信部が受信した識別情報に対応する上記視聴履歴情報を取得し、上記取得手段が取得した番組情報の中から上記視聴履歴情報に基づき上記ユーザの視聴頻度の高い番組を選択し、選択した番組を強調表示するような番組表を作成することを特徴とする請求項１〜８のいずれか１項に記載の表示装置。
【請求項１０】
上記受信部が所定時間内に複数の異なる上記識別情報を受信した場合、上記番組表作成手段は、複数の上記識別情報に対応する複数の上記視聴履歴情報を取得し、取得した複数の視聴履歴情報に基づき番組表を作成することを特徴とする請求項９に記載の表示装置。
【請求項１１】
番組の放送波を受信する放送波受信部を備え、
上記実行手段は、上記放送波受信部が受信した番組を録画する録画部に録画した番組の一覧表を作成し、作成した一覧表を上記表示部に表示する録画表作成手段を含み、
上記設定情報は、上記ユーザが録画指示した録画履歴情報であり、
上記録画表作成手段は、上記受信部が受信した識別情報に対応する上記録画履歴情報を取得し、取得した録画履歴情報に対応する番組の一覧表を作成することを特徴とする請求項１〜８のいずれか１項に記載の表示装置。
【請求項１２】
上記受信部が所定時間内に複数の異なる上記識別情報を受信した場合、上記録画表作成手段は、複数の上記識別情報に対応する複数の上記録画履歴情報を取得し、取得した複数の上記録画履歴情報に基づき、複数の上記ユーザが録画指示した番組を組み合わせた上記一覧表を作成することを特徴とする請求項１１に記載の表示装置。
【請求項１３】
請求項１〜１２のいずれか１項に記載の表示装置を備えることを特徴とするテレビジョン受像機。
【請求項１４】
映像を表示する表示部を備え、操作端末によって操作される表示装置の制御方法であって、
上記操作端末から送信された、該操作端末を使用しているユーザを識別するための識別情報を含む信号を受信する受信工程と、
上記識別情報と、自装置の動作を実行する実行手段が該動作を実行する際の設定情報との対応情報が複数記録された記録部を参照して、受信した上記識別情報に対応する上記設定情報を取得し、取得した上記設定情報で上記動作を実行する実行工程とを含むことを特徴とする表示装置の制御方法。
【請求項１５】
請求項１〜１２までのいずれか１項に記載の表示装置の各手段としてコンピュータを動作させるためのプログラム。
【請求項１６】
請求項１５に記載のプログラムを記載したコンピュータ読み取り可能な記録媒体。
【請求項１７】
表示部を有する表示装置を制御する制御装置であって、
予め記録されているユーザを認識するユーザ認識部と、
上記ユーザ認識部が認識したユーザに対して予め対応付けられている少なくとも１つの処理であるユーザ特有処理の名称を上記表示部に表示させる表示制御部と、
上記ユーザ特有処理のうちの少なくとも１つを実行する指示をユーザから受け付け、当該指示が示す処理を実行する処理実行部とを備えることを特徴とする制御装置。
【請求項１８】
ユーザによって実行指示が可能な複数の処理の組み合わせを用いて上記ユーザ特有処理の内容を設定する処理設定部をさらに備えることを特徴とする請求項１７に記載の制御装置。
【請求項１９】
上記処理設定部は、ユーザが入力した実行指示の履歴から上記ユーザ特有処理の内容を設定することを特徴とする請求項１８に記載の制御装置。
【請求項２０】
請求項１７〜１９のいずれか１項に記載の制御装置を備える表示装置。
【請求項２１】
請求項２０に記載の表示装置を備えることを特徴とするテレビジョン受像機。
【請求項２２】
表示部を有する表示装置の制御方法であって、
予め記録されているユーザを認識するユーザ認識工程と、
上記ユーザ認識工程において認識したユーザに対して予め対応付けられている少なくとも１つの処理であるユーザ特有処理の名称を上記表示部に表示させる表示工程と、
上記ユーザ特有処理のうちの少なくとも１つを実行する指示をユーザから受け付け、当該指示が示す処理を実行する処理実行工程とを含むことを特徴とする制御方法。
【請求項２３】
請求項２２に記載の各工程をコンピュータに実行させるための制御プログラム。
【請求項２４】
請求項２３に記載の制御プログラムを記録したコンピュータ読み取り可能な記録媒体。
【発明の詳細な説明】
【技術分野】
【０００１】
本発明は、映像を表示する表示部を備える、制御装置、テレビジョン受像機、表示装置の制御方法、プログラム及び記録媒体に関し、具体的には、ユーザ毎に設定を切り換える表示装置等に関する。
【背景技術】
【０００２】
従来、表示装置では、例えば画質の調整等の各種設定をユーザの操作又は使用環境に応じて変更する技術がある。
【０００３】
例えば、特許文献１には、画質パラメータの異なる複数のサンプル画像を提示して、ユーザに所望のサンプル画像を選択させることで、画質パラメータを決定する画像表示装置が記載されている。
【０００４】
特許文献２には、画質が異なるサンプル動画像をユーザに選択させて画質を決定するテレビジョン受像機が記載されている。
【０００５】
特許文献３には、現在テレビ放送されている番組に対するトピック及びテーマ情報のような特性を判定し、オーディオ及びビデオ設定値のようなデータを、記録ユニットに格納されている予め定義された最適受像機特性の表に適合させるシステムが記載されている。
【０００６】
また、ユーザの顔を撮像した画像を用いてユーザを認識する技術が、年齢制限が必要な装置やユーザの利便性を向上させることを目的とした装置などにおいて利用されている。
【０００７】
特許文献４に記載の顔画像認証装置では、予め格納されている年齢層ごとの特徴量と、撮像画像から抽出した特徴量とを比較し、認識対象者の中に所定年齢以上の者が含まれているかどうかを判定している。そして、含まれている場合に所定の操作（例えば、自動販売機における購買操作）を許可している。
【０００８】
特許文献５に記載の情報端末装置では、ユーザの顔画像からユーザの年齢を推定し、推定した年齢に応じた操作画面を表示している。
【０００９】
特許文献６に記載の記録再生装置では、ユーザの顔を撮像し、その撮像画像から、予め登録されているユーザを認識する。そして、認識したユーザの嗜好情報に基づいて、記録済みの番組に関する情報または放映中の番組に関する情報を表示装置に表示する。この構成により、予め登録されているユーザに応じた番組の情報を自動的に表示することができ、ユーザがリモコン等を操作する手間を省くことができる。
【００１０】
また、特許文献７には、表示装置本体側に赤外線角度センサを設け、表示部を異なる角度からリモコン操作する場合にリモコン本体に視聴角度を登録し角度登録信号を出力する表示システムが記載されている。
【００１１】
また、非特許文献１には、室内の明るさや照明の色に応じて、最適な画質を表示するように、画質を自動で調整するテレビが記載されている。
【００１２】
非特許文献２には、ユーザの見た目の年齢を推定する方法が記載されている。
【先行技術文献】
【特許文献】
【００１３】
【特許文献１】特開２００７−１４７８２８号公報（２００７年６月１４日公開）
【特許文献２】特開２００１−１１９６４４号公報（２００１年４月２７日公開）
【特許文献３】特表２００１−５１５６７５号公報（２００１年９月１８日公表）
【特許文献４】特開２００１−２５６４９６号公報（２００１年９月２１日公開）
【特許文献５】特開２００６−１１９９２０号公報（２００６年５月１１日公開）
【特許文献６】特開２００６−１００８８１号公報（２００６年４月１３日公開）
【特許文献７】特開２００８−１８０８６０号公報（２００８年８月７日公開）
【非特許文献】
【００１４】
【非特許文献１】“おまかせドンピシャ高画質”［online］、東芝、（２０１０年１月１８日検索）、インターネット<http://www.toshiba.co.jp/regza/detail/omakase/about.html>
【非特許文献２】“２００８年度  研究トピックス  顔のかたちと印象”[online]、東京大学大学院総合文化研究科広域科学専攻、（２０１０年３月１８日検索）、インターネット＜html://kouiki.c.u-tokyo.ac.jp/topics/2008/2008_g/2008_g.html＞
【発明の概要】
【発明が解決しようとする課題】
【００１５】
ところで、例えばテレビ等、１台の表示装置を利用するユーザは、父、母、子供など複数いる場合がある。このため、テレビ側で各種設定を自由に変更可能であったとしても、その設定が複数のユーザそれぞれの要求に応じた設定であるとは限らない。
【００１６】
また、各ユーザが表示装置を使用する度に、自分の好みを設定する操作は、ユーザにとって煩わしい。
【００１７】
また、特許文献４〜６の発明では、登録されているユーザが入力操作を行う手間を省くことは考慮されていない。
【００１８】
また、特許文献７の技術では複数ユーザが事前にリモコンで角度設定をしなければならない煩わしさがある。また、装置本体部の前面部に赤外線を利用する角度検出センサを設けているが、蛍光管をバックライトに用いたテレビ等では電源起動時等に蛍光管側から放出される赤外線等の干渉により赤外線の入射角を精度よく判定できないという課題がある。
【００１９】
本発明は、上記の課題を解決するためになされたものであり、その目的は、表示装置を利用しているユーザに合った設定に容易に切り換えることができる表示装置を提供すること、また、ユーザが好みの処理を表示装置に実行させる手間を省くことができる表示装置及び表示装置の制御装置を提供することにある。
【課題を解決するための手段】
【００２０】
本発明に係る表示装置は、上記の課題を解決するために、映像を表示する表示部を備え、操作端末によって操作される表示装置であって、自装置の動作を実行する実行手段と、上記操作端末から送信された、該操作端末を使用しているユーザを識別するための識別情報を含む信号を受信する受信部とを備え、上記実行手段は、上記識別情報と、上記実行手段が上記動作を実行する際の設定情報との対応情報を複数記録する記録部が記録する複数の対応情報の中から、上記受信部が受信した識別情報に対応する上記設定情報を取得し、取得した上記設定情報で上記動作を実行することを特徴としている。
【００２１】
また、本発明に係る表示装置の制御方法は、上記の課題を解決するために、映像を表示する表示部を備え、操作端末によって操作される表示装置の制御方法であって、上記操作端末から送信された、該操作端末を使用しているユーザを識別するための識別情報を含む信号を受信する受信工程と、上記識別情報と、自装置の動作を実行する実行手段が該動作を実行する際の設定情報との対応情報が複数記録された記録部を参照して、受信した上記識別情報に対応する上記設定情報を取得し、取得した上記設定情報で上記動作を実行する実行工程とを含むことを特徴としている。
【００２２】
上記の構成及び方法によれば、表示装置では、操作端末を使用しているユーザを識別するための識別情報を受信すると、記録部の対応情報から、受信した識別情報に対応する設定情報を取得し、取得した設定情報で動作を実行する。
【００２３】
操作端末を使用して表示装置を操作しているユーザは、表示装置を利用しているユーザであると考えられる。よって、本発明によると、表示装置を利用しているユーザに合った設定に容易に切り換えて動作を実行することができる。
【００２４】
また、本発明に係る表示装置では、上記実行手段は、上記映像の画質を調整し、調整された映像を上記表示部に表示する画質調整手段を含み、上記設定情報は、上記画質調整手段が上記画質を調整するための設定値であり、上記画質調整手段は、上記受信部が受信した識別情報に対応する上記設定値を取得し、取得した上記設定値で上記画質を調整することが好ましい。
【００２５】
上記の構成によれば、画質調整手段は、画質を調整するための設定値で映像の画質を調整し、調整された映像を表示部に表示する。また、画質を調整するための設定値は、識別情報と対応づけて記録されており、画質調整手段は受信部が受信した識別情報に対応する設定値で画質を調整する。よって、表示装置に対して操作指示を送っているユーザに合った画質に調整した映像を表示することができる。
【００２６】
また、本発明に係る表示装置では、音声を出力する音声出力部を備え、上記実行手段は、上記音声の音質を調整し、調整された音声を上記音声出力部に出力する音質調整手段を含み、上記設定情報は、上記音質調整手段が上記音質を調整するための設定値であり、上記音質調整手段は、上記受信部が受信した識別情報に対応する上記設定値を取得し、取得した上記設定値で上記音質を調整することが好ましい。
【００２７】
上記の構成によれば、音質調整手段は、音質を調整するための設定値で、音声の音質を調整し、調整された音声を音声出力部に出力する。また、音質を調整するための設定値は、識別情報と対応づけて記録されており、音質調整手段は受信部が受信した識別情報に対応する設定値で音質を調整する。よって、表示装置に対して操作指示を送っているユーザに合った音質に調整した音声を出力することができる。
【００２８】
また、本発明に係る表示装置では、上記受信部を介してのユーザからの指示により、上記設定値を決定し、決定した上記設定値を上記識別情報と対応づけて上記記録部の上記対応情報に登録する登録手段を備えていることが好ましい。
【００２９】
上記の構成によれば、表示装置の外部から設定値を取得する必要がないので、ユーザの利便性が向上する。
【００３０】
また、本発明に係る表示装置では、上記記録部は、上記識別情報と優先度とを対応付けて記録しており、上記受信部が所定時間内に複数の異なる上記識別情報を受信した場合、上記実行手段は、複数の上記識別情報のうち、上記優先度の高い識別情報に対応する上記設定情報で上記動作を実行することが好ましい。
【００３１】
上記の構成によれば、例えば、所定時間内に複数のユーザが表示装置に対して操作指示を送っていたとしても、実行手段は、識別情報に対応づけられた優先度に基づき、速やかに設定情報を選択し、選択した設定情報で動作を実行することができる。
【００３２】
また、本発明に係る表示装置では、上記受信部が所定時間内に複数の異なる上記識別情報を受信した場合、上記実行手段は、複数の上記識別情報に対応する複数の上記設定情報を取得し、取得した複数の設定情報のうち、最も多い設定情報で上記動作を実行することが好ましい。
【００３３】
上記の構成によれば、例えば、所定時間内に複数のユーザが表示装置に対して操作指示を送っていたとしても、実行手段は、ユーザに人気のある設定で動作を実行することができる。
【００３４】
また、本発明に係る表示装置では、上記受信部が所定時間内に複数の異なる上記識別情報を受信した場合、上記実行手段は、複数の上記識別情報に対応する複数の上記設定値を取得し、取得した複数の設定値の平均値で上記動作を実行することが好ましい。
【００３５】
上記の構成によれば、例えば、所定時間内に複数のユーザが表示装置に対して操作指示を送っていたとしても、ユーザに合った複数の設定値が反映された動作となる。
【００３６】
また、本発明に係る表示装置では、上記受信部が第１の所定時間内に複数の異なる上記識別情報を受信した場合、上記実行手段は、第２の所定時間内に上記識別情報をそれぞれ受信した比率と、受信した識別情報に対応する上記設定情報とに基づき、上記動作を実行すべき設定情報を決定し、決定した設定情報で上記動作を実行することが好ましい。
【００３７】
上記の構成によれば、例えば、第１の所定時間内に複数のユーザが表示装置に対して操作指示を送っていたとしても、第２の所定時間内に識別情報を送信しているユーザの比率に応じて動作を実行することができる。ここで、第１の所定時間と第２の所定時間とは、同一期間の同一幅の時間であってもよいし、それぞれ異なる期間の異なる幅の時間であってもよい。
【００３８】
また、本発明に係る表示装置では、番組の放送波を受信する放送波受信部と、上記放送波受信部が受信する番組に関する番組情報を取得する取得手段とを備え、上記実行手段は、上記取得手段が取得した番組情報に基づき番組表を作成し、作成した番組表を上記表示部に表示する番組表作成手段を含み、上記設定情報は、上記ユーザが過去に視聴した番組の視聴履歴情報であり、上記番組表作成手段は、上記受信部が受信した識別情報に対応する上記視聴履歴情報を取得し、上記取得手段が取得した番組情報の中から上記視聴履歴情報に基づき上記ユーザの視聴頻度の高い番組を選択し、選択した番組を強調表示するような番組表を作成することが好ましい。
【００３９】
この場合、番組表には、操作指示を送っているユーザの視聴頻度の高い番組が強調表示されるので、ユーザは上記番組の選局を容易に行なうことができる。
【００４０】
さらに、上記受信部が所定時間内に複数の異なる上記識別情報を受信した場合、上記番組表作成手段は、複数の上記識別情報に対応する複数の上記視聴履歴情報を取得し、取得した複数の視聴履歴情報に基づき番組表を作成することが好ましい。
【００４１】
これにより、所定時間内に複数のユーザが表示装置に対して操作指示を送っていたとしても、各ユーザの視聴頻度の高い番組を強調表示することにより、ユーザの嗜好を反映させることができる。
【００４２】
また、本発明に係る表示装置では、番組の放送波を受信する放送波受信部を備え、上記実行手段は、上記放送波受信部が受信した番組を録画する録画部に録画した番組の一覧表を作成し、作成した一覧表を上記表示部に表示する録画表作成手段を含み、上記設定情報は、上記ユーザが録画指示した録画履歴情報であり、上記録画表作成手段は、上記受信部が受信した識別情報に対応する上記録画履歴情報を取得し、取得した録画履歴情報に対応する番組の一覧表を作成することが好ましい。
【００４３】
この場合、録画リストには、操作指示を送っているユーザが録画した番組が一覧表示されるため、該ユーザは容易に再生する番組を選択することができる。
【００４４】
さらに、上記受信部が所定時間内に複数の異なる上記識別情報を受信した場合、上記録画表作成手段は、複数の上記識別情報に対応する複数の上記録画履歴情報を取得し、取得した複数の上記録画履歴情報に基づき、複数の上記ユーザが録画指示した番組を組み合わせた上記一覧表を作成することが好ましい。
【００４５】
これにより、所定時間内に複数のユーザが表示装置に対して操作指示を送っていたとしても、操作指示を送っているユーザが録画した番組を組み合わせて表示することができるので、録画したすべての番組を表示させるよりも容易に目的の番組を見つけることができる。
【００４６】
本発明に係る制御装置は、上記の課題を解決するために、表示部を有する表示装置を制御する制御装置であって、予め記録されているユーザを認識するユーザ認識部と、上記ユーザ認識部が認識したユーザに対して予め対応付けられている少なくとも１つの処理であるユーザ特有処理の名称を上記表示部に表示させる表示制御部と、上記ユーザ特有処理のうちの少なくとも１つを実行する指示をユーザから受け付け、当該指示が示す処理を実行する処理実行部とを備えることを特徴としている。
【００４７】
本発明に係る制御方法は、上記の課題を解決するために、表示部を有する表示装置の制御方法であって、予め記録されているユーザを認識するユーザ認識工程と、上記ユーザ認識工程において認識したユーザに対して予め対応付けられている少なくとも１つの処理であるユーザ特有処理の名称を上記表示部に表示させる表示工程と、上記ユーザ特有処理のうちの少なくとも１つを実行する指示をユーザから受け付け、当該指示が示す処理を実行する処理実行工程とを含むことを特徴としている。
【００４８】
上記の構成によれば、ユーザ認識部が予め記録されているユーザを認識すると、認識されたユーザに予め対応付けられているユーザ特有処理の名称が表示部に表示される。ユーザは、表示された少なくとも１つのユーザ特有処理の名称を、表示部を見ることで確認でき、そのうちの少なくとも１つを選択できる。ユーザが選択したユーザ特有処理を特定する情報は、処理実行部によって受け付けられ、処理実行部は、ユーザが選択したユーザ特有処理を実行する。
【００４９】
それゆえ、予めユーザ特有処理を登録しておけば、ユーザが認識されたことを契機として、ユーザ特有処理が実行される。従って、ユーザは入力操作をすることなしに所望の処理を表示装置に実行させることができ、ユーザが入力操作を行う手間を省くことができる。
【００５０】
また、制御装置は、ユーザによって実行指示が可能な複数の処理の組み合わせを用いて上記ユーザ特有処理の内容を設定する処理設定部をさらに備えることが好ましい。
【００５１】
上記の構成によれば、ユーザ特有処理は、ユーザによって実行指示が可能な複数の処理の組み合わせである。処理設定部は、例えば、ユーザの指示に従って複数の処理を組み合わせることでユーザ特有処理の内容を設定する。
【００５２】
それゆえ、ユーザの好みに合わせてユーザ特有処理の内容を設定できる。
【００５３】
また、上記処理設定部は、ユーザが入力した実行指示の履歴から上記ユーザ特有処理の内容を設定することが好ましい。
【００５４】
上記の構成により、ユーザ特有処理の内容を設定するための入力操作をわざわざ行わなくても、通常の入力操作の履歴からユーザ特有処理の内容を設定できる。
【００５５】
それゆえ、ユーザがユーザ特有処理の内容を設定するための入力操作の手間を省くことができる。
【００５６】
また、本発明に係るテレビジョン受像機は、上記の本発明に係る表示装置を備えることを特徴としている。
【００５７】
なお、上記表示装置は、コンピュータによって実現してもよい。この場合、コンピュータを上記各手段として動作させるためのプログラム、及びそのプログラムを記録したコンピュータ読み取り可能な記録媒体も、本発明の範疇に入る。
【発明の効果】
【００５８】
本発明に係る表示装置は、以上のように、映像を表示する表示部を備え、操作端末によって操作される表示装置であって、自装置の動作を実行する実行手段と、上記操作端末から送信された、該操作端末を使用しているユーザを識別するための識別情報を含む信号を受信する受信部とを備え、上記実行手段は、上記識別情報と、上記実行手段が上記動作を実行する際の設定情報との対応情報を複数記録する記録部が記録する複数の対応情報の中から、上記受信部が受信した識別情報に対応する上記設定情報を取得し、取得した上記設定情報で上記動作を実行するため、表示装置を利用しているユーザに合った設定に容易に切り換えることができる。
【００５９】
また、本発明に係る制御装置は、上記の課題を解決するために、表示部を有する表示装置を制御する制御装置であって、予め記録されているユーザを認識するユーザ認識部と、上記ユーザ認識部が認識したユーザに対して予め対応付けられている少なくとも１つの処理であるユーザ特有処理の名称を上記表示部に表示させる表示制御部と、上記ユーザ特有処理のうちの少なくとも１つを実行する指示をユーザから受け付け、当該指示が示す処理を実行する処理実行部とを備えることを特徴としている。
【００６０】
また、本発明に係る制御方法は、上記の課題を解決するために、表示部を有する表示装置の制御方法であって、予め記録されているユーザを認識するユーザ認識工程と、上記ユーザ認識工程において認識したユーザに対して予め対応付けられている少なくとも１つの処理であるユーザ特有処理の名称を上記表示部に表示させる表示工程と、上記ユーザ特有処理のうちの少なくとも１つを実行する指示をユーザから受け付け、当該指示が示す処理を実行する処理実行工程とを含むことを特徴としている。
【００６１】
従って、本発明に係る制御装置は、予めユーザ特有処理を登録しておけば、ユーザが認識されたことを契機として、ユーザ特有処理が実行され、ユーザは入力操作をすることなしに所望の処理を表示装置に実行させることができ、ユーザが入力操作を行う手間を省くことができるという効果を奏する。
【図面の簡単な説明】
【００６２】
【図１】本発明の一実施形態に係る表示装置の要部構成を示すブロック図である。
【図２】図１に示す表示装置の全体構成を示すブロック図である。
【図３】図１に示す表示装置におけるお好み設定処理の流れを示すフローチャートである。
【図４】図１に示す表示装置を操作するためのリモコンの外観を示す図である。
【図５】複数のユーザが図１に示す表示装置を利用している場合のお好み設定の登録処理の流れを示すフローチャートである。
【図６】図１に示す表示装置において、お好み設定で録画リストを作成する処理を説明するための図である。
【図７】本発明の別の実施形態に係る表示装置の構成及び表示装置を操作する制御装置構成を示す図である。
【図８】上記制御装置におけるユーザ認識工程、表示工程及び処理実行工程の一連の流れを示すフローチャートである。
【図９】上記制御装置におけるユーザ特有処理の設定の第１の例の流れを示す図である。
【図１０】上記制御装置におけるユーザ特有処理の設定の第１の例の流れをリモコンの構成例及び表示装置の表示画面例を用いて表したものであり、（ａ）及び（ｃ）は、リモコンの構成を示す図であり、（ｂ）、（ｄ）から（ｇ）は表示装置の設定画面である。
【図１１】上記制御装置におけるユーザ特有処理の実行の第１の例の流れをリモコンの構成例及び表示装置の表示画面例を用いて表したものであり、（ａ）はリモコンの構成を示す図であり、（ｂ）及び（ｃ）は表示装置の実行画面である。
【図１２】上記制御装置におけるユーザ特有処理の設定の第２の例の流れを示す図である。
【図１３】上記制御装置におけるユーザ特有処理の設定の第２の例の流れを表示装置の表示画面例を用いて表したものであり、（ａ）から（ｆ）は表示装置の設定画面である。
【図１４】上記制御装置におけるユーザ特有処理の実行の第２の例の流れをリモコンの構成例及び表示装置の表示画面例を用いて表したものであり、（ａ）はリモコンの構成を示す図であり、（ｂ）及び（ｃ）は表示装置の実行画面である。
【図１５】上記制御装置が制御する表示装置が表示している映像の画質が、現在の設定からユーザが設定している現在の優先ポジションの画質に自動的に切り替える処理を示したフローチャートである。
【図１６】上記制御装置が制御する表示装置のＡＶポジションが「現在の設定」から「映画」に変更したことを示す図である。
【図１７】上記制御装置におけるユーザ特有処理の設定の第３の例の流れを示す図である。
【図１８】本発明に係る表示装置の別の実施形態の構成を示す図である。
【図１９】本発明に係る表示装置の別の実施形態の構成を示す図である。
【図２０】本発明に係る表示装置の別の実施形態の構成を示す図である。
【発明を実施するための形態】
【００６３】
＜第１の実施形態＞
本発明に係る表示装置の第１の実施形態について、図１〜６を参照して以下に説明する。なお、以下の説明では本発明を実施するために好ましい種々の限定が付与さえているが、本発明の技術的範囲は以下の実施の形態及び図面の記載に限定されるものではない。
【００６４】
〔表示装置１０の構成〕
まず、第１の実施形態に係る表示装置１０の構成について、図１を参照して以下に説明する。図１は、本発明の一実施形態に係る表示装置１０の要部構成を示すブロック図である。
【００６５】
図１に示すように、表示装置１０は、実行部１２（実行手段）、リモコン受光部２０（受信部）、ユーザ特定部２１、記録部２２、指示部２３、表示部２５、スピーカ２７（音声出力部）、登録部２８（登録手段）及び算出部２９を備えている。また、実行部１２は、映像処理部２４（画質調整手段）、音声処理部２６（音質調整手段）及び表示用情報作成部３０（番組表作成手段、録画表作成手段）を備えている。
【００６６】
表示装置１０は、リモートコントローラ（リモコン）１００（操作端末）からのリモコン信号を受信可能に構成されている。すなわち、表示装置１０は、リモコン１００を介してユーザからの操作指示を受け付ける。また、表示装置１０は、アンテナ３５を介して放送波を受信し、受信した放送波をデコードして番組及び番組情報を取得する。
【００６７】
実行部１２は、指示部２３からの指示に従い、表示装置１０の各種動作を実行する。
【００６８】
リモコン受光部２０は、リモコン１００からの制御信号を受信する。この制御信号は、ユーザからの指示情報である場合もあるし、リモコン１００を使用しているユーザを識別するための識別情報である場合もある。また、指示情報及び識別情報の両方を含む信号である場合もある。
【００６９】
識別情報とは、表示装置１０を現在利用しているユーザを識別するための情報であり、表示装置１０の動作を指定するリモコンコードとは異なり、表示装置１０側で表示装置１０を利用するユーザとの対応づけがなされている情報である。つまり、リモコン１００は複数の異なる識別情報を予め記憶しており、ユーザがリモコン１００を使用するとき、リモコン１００からユーザ毎に異なる識別情報を含む信号が送信される。リモコン受光部２０は、受信した制御信号をユーザ特定部２１に送る。
【００７０】
ユーザ特定部２１は、リモコン受光部２０が受信した制御信号を解析し、識別情報が含まれているかを判断する。ユーザ特定部２１は、リモコン受光部２０が受信した制御信号に識別情報が含まれていると判断すると、該識別情報が記録部２２に記録されているかを確認し、その結果を指示部２３に送る。
【００７１】
記録部２２は、各種データ及びプログラムを記録する。記録部２２の構成としては、例えば、後述する制御部３６が動作を制御するときに必要なプログラムなどの固定データを記録する、読み出し専用の半導体メモリであるＲＯＭ（Ｒｅａｄ  Ｏｎｌｙ  Ｍｅｍｏｒｙ）と、演算に使用するデータ及び演算結果のデータなどを一時的に記録する、いわゆるワーキングメモリとしてのＲＡＭ（Ｒａｎｄｏｍ  Ａｃｃｅｓｓ  Ｍｅｍｏｒｙ）とが挙げられる。
【００７２】
また、記録部２２は、識別情報と、実行部１２が動作を実行する際の設定情報との対応情報を複数記録する。設定情報としては、例えば、映像の画質を調整するための設定値、音声の音質を調整するための設定値、及びメニュー画面を表示する際の配色もしくはボタンの色の設定などを含むが、これらに限定されるものではない。なお、本実施形態では表示装置に内蔵されている記録部２２が設定情報を記録しているが、本発明はこれに限定されず、外付けの記録装置に設定情報が記録されていてもよい。
【００７３】
指示部２３は、記録部２２から取得した設定情報で動作を実行するように、実行部１２に指示する。また、リモコン受光部２０が所定時間内に複数の異なる識別情報を受信した場合、算出部２９に対して、実行部１２が動作を実行すべき設定情報を決定するように指示する。
【００７４】
映像処理部２４は、デジタル放送及びアナログ放送のコンテンツ、ＤＶＤ、ＢＤ及びＨＤＤなどに記録されているコンテンツ、又はネットワークを介して取得したコンテンツなどの映像信号に対し所定の処理を行なって表示部２５に供給する。具体的には、映像処理部２４は、映像の画質を調整し、調整された映像を表示部２５に表示するように画質調整処理を行なう。
【００７５】
本実施形態では、映像処理部２４はリモコン受光部２０が受信した識別情報に対応する設定値を記録部２２から取得し、取得した設定値で画質を調整する。調整される画質の項目としては、特に限定されるものではなく、例えば、「輝度レベル」、「カラー（色の濃さ）」、「黒レベル」、「ティント（色合い）」、「バックライトの輝度」などを含む。なお、映像処理部２４は、上記コンテンツの他にも、ＥＰＧ（Ｅｌｅｃｔｒｏｎｉｃ  Ｐｒｏｇｒａｍ  Ｇｕｉｄｅ）データ等の番組情報に関するデータ、及びＯＳＤ（オン・スクリーン・ディスプレイ）表示する際に必要となるＯＳＤ用の画像データなども表示部２５に供給する。
【００７６】
表示部２５は、映像処理部２４からの映像信号に基づいて映像を表示する。表示部２５の構成としては、液晶ディスプレイ、プラズマディスプレイ又は有機ＥＬディスプレイなどの表示素子と、受信した映像信号に基づいて表示素子を駆動するドライバ回路とを備える構成であってもよい。
【００７７】
音声処理部２６は、デジタル放送及びアナログ放送のコンテンツ、ＤＶＤ、ＢＤ及びＨＤＤなどに記録されているコンテンツ、又はネットワークを介して取得したコンテンツなどの音声信号に対し所定の処理を行なってスピーカ２７に供給する。具体的には、音声処理部２６は、音声の音質を調整し、調整された音声をスピーカ２７に出力するように音質調整処理を行なう。
【００７８】
本実施形態では、音声処理部２６は、リモコン受光部２０が受信した識別情報に対応する設定値を記録部２２から取得し、取得した設定値で音質を調整する。
【００７９】
登録部２８は、リモコン受光部２０を介してのユーザからの指示により、実行部１２が動作を実行する際の設定情報を決定し、決定した設定情報を識別情報と対応づけて記録部２２に登録する。例えば、登録部２８は、ユーザからの指示により、映像処理部２４が画質を調整するための設定値、又は音声処理部２６が音質を調整するための設定値などを決定し、決定した設定値を識別情報と対応づけて記録部２２に記録する。
【００８０】
算出部２９は、指示部２３からの複数の識別情報及び設定情報に基づいて、実行部１２が動作を実行すべき設定情報を決定する。算出部２９は、決定した設定情報を指示部２３に通知する。
【００８１】
具体的には、算出部２９は、リモコン受光部２０が所定時間内に識別情報をそれぞれ受信した比率と、受信した識別情報に対応する設定情報とに基づき、実行部１２が動作を実行すべき設定情報を決定する。例えば、映像の画質を調整するための設定値を決定する場合、算出部２９は、受信頻度の高い識別情報に対応する設定値を、映像処理部２４が調整すべき設定値として決定する。また、同様の受信頻度である複数の識別情報に対応する複数の設定値から、設定値を算出してもよい。
【００８２】
表示用情報作成部３０は、定期的に更新保存されたＥＰＧデータに基づき電子番組表を作成し、また、記録部２２に予め保存されているＯＳＤデータを描画する。ＯＳＤデータとは、例えば、設定メニュー画面、音量ケージ、現在時刻又は選局チャンネルなどの各種情報を描画するためのデータである。また、表示用情報作成部３０は、番組表又は録画リストを作成しており、作成した電子番組表を利用して番組の予約処理などを行なってもよい。
【００８３】
また、図２に示すように、表示装置１０は、さらに、制御部３６、アンテナ３５、チューナー３１、ＡＶセレクタ３２、分離部３３及びデコーダ３４などを備えていてもよい。図２は、表示装置１０の全体構成を示すブロック図である。
【００８４】
表示装置１０では、チューナー３１がアンテナ３５を介して受信する放送信号を選局し、ＡＶセレクタ３２に出力する。ＡＶセレクタ３２は、入力された放送信号を分離部３３に送り、分離部３３はＡＶセレクタ３２から入力された映像データ及び音声データを分離する。分離部３３は、分離した各データをデコーダ３４に送る。デコーダ３４は、分離部３３によって分離された映像データをデコードしたり、映像データに含まれるビデオ情報を静止画としてキャプチャしたりする。
【００８５】
つまり、表示装置１０はテレビジョン受像機として機能するものであってよく、アンテナ３５を介してアナログ放送、デジタル放送又はＩＰ放送などの放送信号を受信し、受信した放送信号に含まれるコンテンツを表示部２５に表示してもよい。なお、放送信号には、番組情報が含まれていてもよい。また、表示装置１０は、図示しない外部機器からコンテンツを取得することが可能であるし、インターネット等からコンテンツ又は番組情報を取得することも可能である。
【００８６】
なお、制御部３６は、表示装置１０の各種構成を統括的に制御する。制御部３６の機能は、例えば、ＲＡＭ又はフラッシュメモリなどの記録装置に記録されたプログラムを、ＣＰＵ（Ｃｅｎｔｒａｌ  Ｐｒｏｃｅｓｓｉｎｇ  Ｕｎｉｔ）が実行することによって実現される。
【００８７】
〔表示装置１０の動作〕
次に、表示装置１０におけるユーザのお好み設定機能に関する動作について、図３〜６を参照して以下に説明する。図３は、表示装置１０におけるお好み設定処理の流れを示すフローチャートである。
【００８８】
（ユーザのお好み設定）
まず、リモコン１００から識別情報を受信したときに、受信した識別情報に対応する設定に切り換えるお好み設定処理について説明する。なお、以下に示す例では、画質を調整するための設定値を切り換える場合について述べる。
【００８９】
本実施形態において、リモコン１００は、ユーザからの指示に加え、リモコン１００を使用しているユーザを識別するための識別情報を含む信号を送信可能な構成であればよい。
【００９０】
例えば、図４に示すように、リモコン１００に複数のボタン１０１（以下、「お好みボタン」ともいう）を設けておき、ユーザがいずれかのお好みボタン１０１を押下したときに識別情報を含む信号が送信される。図４は、表示装置１０を操作するためのリモコン１００の外観を示す図である。
【００９１】
ここで、お好みボタン１０１とは、予め識別情報が割り当てられたボタンであり、図４に示すリモコン１００には、複数のお好みボタン１０１それぞれに異なる識別情報が割り当てられている。上述したように、表示装置１０の記録部２２では、識別情報と設定情報との対応情報を複数記録しており、ユーザがいずれかのお好みボタン１０１を押下することにより、実行部１２は押下したお好みボタン１０１に割り当てられた識別情報に対応する設定情報で動作を実行する。また、識別情報に対応する設定情報は、登録部２８に指示を送ることによってユーザが任意に設定可能である。
【００９２】
このように、リモコン１００に設けられたお好みボタン１０１は、設定切り換えの引き金となる共通する１つの情報が割り当てられているのではなく、それぞれのお好みボタン１０１にはそれぞれ異なる設定切り換えのための情報が割り当てられており、各お好みボタン１０１が押下される度に異なる設定に切り換えられる。よって、予めユーザが自分専用のお好みボタン１０１を決定していれば、自分専用のお好みボタン１０１を押下することによって表示装置１０における設定を瞬時に切り換えることができる。
【００９３】
また、表示装置１０の使用開始初期に表示装置１０が初めて識別情報を認識した場合（すなわち、初めてお好みボタン１０１が押下された場合）、認識した識別情報を記録部２２に記録するか否かをユーザに選択させて、各種設定を登録することが可能である。
【００９４】
なお、本実施形態ではリモコン１００に複数のお好みボタン１０１を設けて、それぞれに異なる識別情報を割り当てているが、本発明はこれに限定されるものではなく、例えば、複数のリモコンを用意し、それぞれのリモコンに１つのお好みボタンを設け、各リモコンのお好みボタンには異なる識別情報を割り当ててもよい。また、リモコンにユーザの指紋を識別可能な機構（例えば、指紋センサー）を設け、各ユーザの指紋と識別情報とを対応づけてリモコンに記憶させておいてもよい。
【００９５】
これにより、ユーザがリモコンに触れる度に指紋センサーが指紋を識別し、識別した指紋に対応する識別情報をリモコンから送信することができる。さらに、１つのお好みボタンをリモコンに設けており、このお好みボタンをトグル切り換えすることによって、目的とする識別情報を送信することもできる。
【００９６】
図３に示すように、リモコン受光部２０がリモコン１００からの信号を受信すると、ユーザ特定部２１は、リモコン１００のお好みボタンが押下されているか否か、すなわち、受信した信号に識別情報が含まれるか否かを判定する（ステップＳ１）。
【００９７】
ステップＳ１にて、お好みボタン１０１が押下されていると判定された場合（ステップＳ１にて「ｙｅｓ」）、ユーザ特定部２１は、受信した識別情報が記録部２２の対応情報に記録されているかを判断する。ユーザ特定部２１が、受信された識別情報が記録部２２の対応情報に記録されていると判定した場合、表示装置１０において画質の設定値が該識別情報と対応付けて記録されているかを判定する。つまり、画質の設定に関するユーザの設定情報が登録済みであるかを判定する（ステップＳ２）。
【００９８】
「お好み設定」とは、ユーザ毎に設定された設定情報で動作を実行する機能である。つまり、ユーザ特定部２１が識別情報から表示装置１０を利用しているユーザを特定すると、実行部１２は特定したユーザによって予め設定された設定情報で動作を実行する。なお、本実施形態では、ユーザにより設定された設定情報を「お好み設定」と称することもある。
【００９９】
お好み設定（すなわち、特定したユーザの設定情報）が登録済みでないと判定された場合（ステップＳ２にて「ｎｏ」）、お好み設定を登録するか否かをユーザに尋ねる画面を表示部２５に表示する（ステップＳ３）。この問いかけに対し、ユーザからのお好み設定を登録するという指示を受信すると、ユーザによるお好み設定の登録を受け付ける。
【０１００】
ここで、ユーザによるお好み設定の登録を受け付けるときの処理の一例を説明する。映像の画質の設定値を決定する方法は特に限定されるものではなく、例えば、様々な画質に調整された複数のサンプル画像を予め用意しておき、該複数のサンプル画像を表示部２５に表示し、ユーザにより選択された任意のサンプル画像の設定値をお好み設定の設定値として決定する方法が挙げられる。
【０１０１】
例えば、同一の画像に対して、「輝度レベル」、「カラー（色の濃さ）」、「黒レベル」、「ティント（色合い）」、「バックライトの輝度」などの画質を異なるパターンで調整した複数のサンプル画像を用意し、ユーザに好みの画質を選択させることにより、お好み設定の設定値とみなす。なお、調整する画質はこれらに限定されるものではない。
【０１０２】
また、表示装置１０が、映像のジャンルを特定する図示しない特定手段を備えている場合、画質の設定値をジャンルに応じて変更することもできる。例えば、上記方法と同様に用意した複数のサンプル画像をジャンル毎に表示し、ジャンル毎に異なる画質の設定値を決定できるようにしてもよい。
【０１０３】
ジャンルとしては、例えば、「フィルム」、「ビデオ」、「スポーツ」などが挙げられる。「フィルム」とは、フィルム由来であることを示し、２４Ｈｚで撮影されたコンテンツを３：２プルダウン処理したコンテンツのジャンルである。「ビデオ」とは、６０Ｈｚの通常放送に由来するコンテンツのジャンルである。「スポーツ」とは、ＥＰＧデータによりスポーツのジャンル情報が関連付けられている。なお、ジャンルとしてはこれら３種類に限定されるものではなく、例えば、「ニュース／報道」、「情報／ワイドショー」、「バラエティ」、「映画」などの様々なジャンルであってもよい。
【０１０４】
ユーザの指示によりお好み設定が決定されると、登録部２８は該お好み設定と識別情報との対応情報を記録部２２に記録する（ステップＳ４）。このとき、ユーザからの指示によりユーザ名を登録することができる。ユーザ名は、例えば、お父さん、お母さん又は子供などが挙げられるが特に限定されるものではなく、任意のユーザ名で登録することができる。登録部２８は、入力されたユーザ名を、対応情報に対応付けて記録部２２に記録する。
【０１０５】
次に、登録済みのお好み設定が選択されている場合、すなわち、新たに受信した識別情報に対応するお好み設定が反映されるように指示部２３が映像処理部２４に対して指示を出している場合（ステップＳ５にて「ｙｅｓ」）、映像処理部２４が別の識別情報に対応するお好み設定を反映して動作を実行しているかを判定する（ステップＳ６）。
【０１０６】
別の識別情報に対応するお好み設定が反映されている場合（ステップＳ６にて「ｙｅｓ」）、お好み設定の減算処理を行なう（ステップＳ７）。つまり、指示部２３は、別の識別情報のお好み設定を取り消すように、映像処理部２４に対して指示する。これにより、映像処理部２４が調整する映像の画質が、新たに受信した識別情報に対応するお好み設定のみが反映されたものとなる。一方、別の識別情報に対応するお好み設定が反映されていない場合（ステップＳ６にて「ｎｏ」）、お好み設定の解除処理を行なう（ステップＳ８）。つまり、映像処理部２４が調整する映像の画質は新たに受信した識別情報に対応するお好み設定のみが既に反映されているため、お好み設定を反映するように映像処理部２４に対する指示は解除される。
【０１０７】
これに対し、登録済みのお好み設定が選択されていない場合、すなわち、新たに受信した識別情報に対応するお好み設定が反映されるように、指示部２３が映像処理部２４に対して指示を出していない場合（ステップＳ５にて「ｎｏ」）も同様に、映像処理部２４が調整する映像の画質が、別の識別情報に対応するお好み設定が反映されているか判定する（ステップＳ９）。
【０１０８】
別の識別情報に対応するお好み設定が反映されている場合（ステップＳ９にて「ｙｅｓ」）、お好み設定の合算処理を行なう（ステップＳ１０）。つまり、指示部２３は、別の識別情報に対応するお好み設定と新たに受信した識別情報に対応するお好み設定とが組み合わされた設定値が反映されるように、映像処理部２４に対して指示する。これにより、映像処理部２４が調整する映像の画質は上記組み合わされた設定値が反映されたものとなる。一方、別の識別情報に対応するお好み設定が反映されていない場合（ステップＳ９にて「ｎｏ」）、新たに受信した識別情報に対応するお好み設定が反映されるように、映像処理部２４に対して指示する（ステップＳ１１）。
【０１０９】
このように、表示装置１０では、リモコン１００を使用しているユーザを識別するための識別情報を受信すると、受信した識別情報に対応する設定情報を記録部２２から取得し、取得した設定情報で動作を実行する。
【０１１０】
例えば、映像処理部２４は、リモコン受光部２０が受信した識別情報に対応する、画質を調整するための設定値で画質を調整する。よって、表示装置１０に対して操作指示を送っているユーザに合った画質に調整した映像を表示することができる。また、音声処理部２６は、リモコン受光部２０が受信した識別情報に対応する、音質を調整するための設定値で音質を調整する。よって、表示装置１０に対して操作指示を送っているユーザに合った音質に調整した音声を出力することができる。
【０１１１】
また、ステップＳ４に示すように、実行部１２が動作を実行する際の設定値を、ユーザが任意に設定可能である。よって、例えば映像処理部２４が映像の画質を調整するとき、リモコン受光部２０が受信した識別情報に対応する設定値が、ユーザが任意に設定した設定値であれば、ユーザの好みに合った画質に調整して表示することができる。なお、リモコン１００から識別情報を送信する方法はこれらに限定されるものではない。
【０１１２】
以上の説明では、表示装置１０がリモコン１００からの操作指示を受け付けて操作される場合について説明したが、本発明において、操作端末はリモコンに限定されるものではなく、例えば携帯電話などであってもよい。
【０１１３】
例えば、本発明に係る表示装置を制御するリモコンコードを搭載した携帯電話を用いて、該携帯電話から操作指示を送ることによってリモコンと同様に制御してもよい。この場合、例えば携帯電話番号を、ユーザを識別するための識別情報として使用し、該識別情報を含むリモコンコードを表示装置に送ることによって、表示装置を利用しているユーザを識別することができる。
【０１１４】
また、例えばリモコンコードを搭載したカメラ機能付きの携帯電話を操作端末として用いれば、カメラによってユーザを撮影し、撮影したユーザを予め識別情報と対応付けて携帯電話本体に保存しておくことも可能である。これにより、表示装置を制御する際に該識別情報を含むリモコンコードを表示装置に送ることによって、表示装置ではユーザに応じた設定で動作を実行することができる。
【０１１５】
（複数のユーザの利用）
次に、複数のユーザが表示装置１０を利用している場合のお好み設定処理の流れについて説明する。図５は、複数のユーザが表示装置１０を利用している場合のお好み設定の登録処理の流れを示すフローチャートである。
【０１１６】
図５に示すフローチャートでは、リモコン受光部２０が所定時間内に複数の異なる識別情報を受信し、受信した識別情報からユーザ特定部２１が複数のユーザを特定した場合のお好み設定処理について説明する。なお、ここでいう所定時間は特に限定されるものではなく、例えば１分間等、予め定めた任意の時間であればよい。
【０１１７】
ユーザ特定部２１が所定期間内に複数のユーザを特定した後、制御部３６は、いずれかのユーザによってリモコン操作が行なわれているか否かを、リモコン受光部２０が、識別情報の受信後に、指示情報を受信するか否かで判断する（ステップＳ２０）。
【０１１８】
リモコン１００から指示情報を受信していると判断した場合（ステップＳ２０にて「ｙｅｓ」）、受信した指示情報が「電源を切る」という指示であるかを判定する（ステップＳ２１）。複数のユーザのうち、いずれか１人のユーザが「電源を切る」という指示を送った場合（ステップＳ２１にて「ｙｅｓ」）、その時点でお好み設定処理を終了する。
【０１１９】
一方、受信した指示情報が「電源を切る」という指示ではない場合（ステップＳ２１にて「ｎｏ」）、受信した指示情報の動作を実行する際の設定情報を決定する。ここでは、ユーザ特定部２１が特定した複数のユーザに対応するそれぞれの設定情報に基づき、実行部１２が実際に動作する際の設定情報となる目標パラメータを決定する（ステップＳ２３）。目標パラメータの決定方法としては、例えば、優先度、多数決又は平均値等により決定する方法がある。
【０１２０】
優先度により目標パラメータを決定する場合、記録部２２に予め識別情報と対応づけて優先度を記憶させておき、この優先度に基づいて決定する。つまり、所定時間内にユーザ特定部２１が複数のユーザを特定したとき、指示部２３は、記録部２２の対応情報を参照し、特定した複数のユーザのうち優先度が最も高いユーザに対応する設定情報を取得する。
【０１２１】
例えば、ユーザ特定部２１がお父さん、お母さん、子供が表示装置１０を利用していることを特定した場合、予め記録部２２の対応情報に記録された識別情報において、お父さんの優先度が最も高く設定されていた場合、指示部２３はお父さんに対応する設定情報を取得し、この設定情報で動作を実行するように実行部１２に指示する。これにより、複数のユーザが表示装置１０を利用している場合であっても、識別情報に対応づけられた優先度に基づき、速やかに設定情報を選択し、選択した設定情報で動作を実行することができる。
【０１２２】
多数決により目標パラメータを決定する場合、表示装置１０を利用している複数のユーザに対応する複数の設定情報のうち、最も多い設定情報を目標パラメータとして決定する。つまり、所定時間内にユーザ特定部２１が複数のユーザを特定したとき、指示部２３は、ユーザ特定部２１が特定した複数のユーザに対応する複数の設定情報を取得し、取得した複数の設定情報のうち最も多い設定情報で動作を実行するように実行部１２に指示する。
【０１２３】
例えば、画質を調整する際の「カラー」の設定値を例にすると、お父さんが「＋１０」、お母さんが「＋５」、子供が「＋１０」であった場合、最も多い設定値は「＋１０」であるため、指示部２３は設定値「＋１０」で「カラー」を調整するように映像処理部２４に指示する。これにより、複数のユーザが表示装置１０を利用している場合であっても、ユーザに人気のある設定で動作を実行することができる。
【０１２４】
また、平均値により目標パラメータを決定する場合、表示装置１０を利用している複数のユーザに対応する複数の設定値の平均値を目標パラメータとして決定する。つまり、所定時間内にユーザ特定部２１が複数のユーザを特定したとき、指示部２３は、ユーザ特定部２１が特定した複数のユーザに対応する複数の設定値を取得し、取得した複数の設定値の平均値で動作を実行するように実行部１２に指示する。
【０１２５】
例えば、画質を調整する際の「カラー」の設定値を例にすると、お父さんが「＋１０」、お母さんが「＋５」、子供が「＋１０」であった場合、平均値は「＋８」であるため、指示部２３は設定値「＋８」で「カラー」を調整するように映像処理部２４に指示する。これにより、複数のユーザが表示装置１０を利用している場合であっても、ユーザに合った複数の設定値が反映された動作となる。
【０１２６】
また、本実施形態では、ある一定時間内に識別情報を受信した比率に応じて目標パラメータを決定することができる。この場合、目標パラメータは算出部２９によって決定される。
【０１２７】
算出部２９は、任意の時間内（第１の所定時間内）に複数の異なる識別情報を受信すると、ある一定時間内（第２の所定時間内）に識別情報を受信した比率と、受信した識別情報に対応する設定情報とに基づいて、目標パラメータを決定する。なお、第１の所定時間と第２の所定時間は上記のように異なる期間であってもよいし、同一期間であってもよい。
【０１２８】
例えば、３０秒以内（任意の時間内）にお父さん、お母さん、子供の識別情報を受信した場合、算出部２９は、その時点から遡って１０分以内（ある一定時間内）に各ユーザの識別情報を受信した比率を特定する。この場合、過去に受信した識別情報の受信記録を、記録部２２に記録させておけばよい。算出部２９は、特定した比率に基づいて各ユーザに対応する設定情報に重みをつけ、目標パラメータを決定する。
【０１２９】
ここでは、１０分以内に識別情報を１００回受信したとする。このとき、お父さんの識別情報の受信率が９０％、お母さんの識別情報の受信率が７％、及び子供の識別情報の受信率が３％である場合、最も受信率の高いお父さんに重みをつけて、お父さんの設定情報を目標パラメータとして決定することができる。
【０１３０】
他の例において、お父さんの識別情報の受信率が５５％、お母さんの識別情報の受信率が４５％、及び子供の識別情報の受信率が０％であるとき、お父さん及びお母さんの設定情報を組み合わせて、目標パラメータを決定することができる。
【０１３１】
さらに、算出部２９は、ある一定時間内に識別情報を受信した比率に加え、最新に受信した識別情報に重みをつけるように目標パラメータを決定してもよい。
【０１３２】
例えば、お父さんの識別情報の受信率が９０％、お母さんの識別情報の受信率が７％、及び子供の識別情報の受信率が３％であるとき、ある一定時間内で現時点から過去１０回における受信記録がお母さんの識別情報のものであった場合、お母さんの識別情報の受信率が低かったとしても、最も受信率の高いお父さんの設定情報とお母さんの設定情報とを組み合わせて目標パラメータとする。
【０１３３】
また、例えば、お父さんの識別情報の受信率が５５％、お母さんの識別情報の受信率が４５％、及び子供の識別情報の受信率が０％であるとき、ある一定時間内で現時点から過去１０回における受信記録がお母さんの識別情報のものであった場合、お母さんの設定情報を優先させて、お母さんの設定情報を目標パラメータとする。
【０１３４】
このように、受信率に加え、現時点で利用している可能性の最も高いユーザの設定に容易に切り換えることができる。
【０１３５】
上述したステップＳ２０において、リモコン１００から制御信号を受信していないと判断した場合、現在実行されている動作が目標パラメータに応じた設定になっているかを判定する（ステップＳ２２）。
【０１３６】
目標パラメータに設定されていない場合（ステップＳ２２にて「ｎｏ」）、指示部２３は、現在実行されている動作が目標パラメータの設定となるように、実行部１２に指示する（ステップＳ２４）。この場合、ステップＳ２３において説明した方法により目標パラメータを決定すればよい。これにより、複数のユーザの設定情報が反映された動作を実行することができる。
【０１３７】
ところで、実行部１２が動作を実行する際の設定の切り換えは、即時切り換えてもよいが、徐々に切り換えられることがより好ましい。例えば、単位時間当たりにパラメータが遷移する量を予め設定しておき、指示部２３による切り換え指示を受けたときに、実行部１２は単位時間ごとに設定した遷移量の分だけパラメータを変更するように動作を実行することができる。
【０１３８】
例えば、上記方法により決定した目標パラメータが「１００」であり、現在実行中の動作のパラメータ（設定値）が「５０」であり、単位時間当たりの遷移量が「５」の場合、実行部１２は、指示部２３による切り換え指示を受けると、まず、パラメータを「＋５」だけ変更して「５５」とする。このように、目標パラメータに達するまで徐々に切り換えていく。これにより、急激な設定切り換えによって生じる違和感を軽減することができる。
【０１３９】
なお、指示部２３が設定を切り換えるように実行部１２に指示するタイミングは、例えば、ユーザがお好みボタン１０１を押下し、リモコン１００から送信した識別信号を受信するタイミング、又は特定したユーザがリモコン１００から送信した制御信号を受信するタイミングであってもよい。また、例えば指紋センサーを備えているリモコンであれば、指紋センサーがユーザを識別し、リモコンから送信した識別信号を受信するタイミングで切り換えてもよい。
【０１４０】
これに対し、電源を入れるとき、又は外部接続機器との入力切換を行なうときには、設定を瞬時に切り換えるようにしてもよい。
【０１４１】
（録画リストのユーザ対応表示）
表示装置１０における録画リスト作成の流れについて、図６を参照して説明する。図６は、表示装置１０において、録画リストを作成する処理を説明するための図である。
【０１４２】
表示用情報作成部３０は、チューナー３１が受信した番組を録画する録画部（図示せず）に録画した番組の録画リストを作成し、作成した録画リストを表示部２５に表示する。このとき、表示用情報作成部３０は、リモコン受光部２０が受信した識別情報に対応する、ユーザが録画指示した録画履歴情報を記録部２２から取得し、取得した録画履歴情報に対応する番組の録画リストを作成することが好ましい。
【０１４３】
例えば、図６の（ａ）は、お好み設定が反映されていない場合の録画リストの作成例である。この録画リストでは、複数のユーザが録画指示した番組が混在して表示されている。
【０１４４】
ここで、ユーザ特定部２１が特定したユーザがお母さんである場合、図６の（ｂ）に示すように、表示用情報作成部３０は、お母さんが録画指示した番組の録画リストを作成し、表示する。また、ユーザ特定部２１が特定したユーザがお父さんである場合、図６の（ｃ）に示すように、表示用情報作成部３０は、お父さんが録画指示した番組の録画リストを作成し、表示する。また、ユーザ特定部２１が特定したユーザが子供である場合、図６の（ｄ）に示すように、表示用情報作成部３０は、子供が録画指示した番組の録画リストを作成し、表示する。
【０１４５】
このように、録画リストには、操作指示を送っているユーザが録画した番組が一覧表示されるため、該ユーザは容易に再生する番組を選択することができる。
【０１４６】
また、リモコン受光部２０が所定時間内に複数の異なる識別情報を受信した場合、表示用情報作成部３０は、複数の識別情報に対応する複数の録画履歴情報を取得し、取得した複数の録画履歴情報に基づき、複数のユーザが録画指示した番組を組み合わせた録画リストを作成してもよい。
【０１４７】
これにより、所定時間内に複数のユーザが表示装置１０に対して操作指示を送っていたとしても、操作指示を送っているユーザが録画した番組を組み合わせて表示することができるので、録画したすべての番組を表示させるよりも容易に目的の番組を見つけることができる。
【０１４８】
なお、録画部は内蔵されていてもよいし、外付けの装置であってもよい。
【０１４９】
（常連番組設定）
表示用情報作成部３０は、図示しない取得手段が取得した番組に関する番組情報に基づき番組表を作成し、作成した番組表を表示部２５に表示する。番組情報の取得先としては、例えば、アンテナ３５を介して放送波から取得してもよいし、インターネットを通じて取得してもよい。
【０１５０】
このとき、表示用情報作成部３０は、リモコン受光部２０が受信した識別情報に対応する、ユーザが過去に視聴した番組の視聴履歴情報を記録部２２から取得し、取得手段が取得した番組情報の中から視聴履歴情報に基づきユーザの視聴頻度の高い番組を選択し、選択した番組を強調表示するような番組表を作成することが好ましい。
【０１５１】
例えば、表示用情報作成部３０は、番組表の中に、ユーザがよく見る番組（常連番組ともいう）を１つのチャンネルのように表示した「常連番組」という欄を設け、表示装置１０を利用しているユーザが過去に視聴した番組の視聴履歴情報を参照して、ユーザがよく見る番組を強調表示するような番組表を作成している。
【０１５２】
ここでいう強調表示とは、例えば、ユーザがよく見る番組（常連番組ともいう）を１つのチャンネルのように表示したものであってもよいし、特に視聴頻度の高い番組に関しては、番組の欄に色をつけてもよい。
【０１５３】
この場合、例えばリモコン１００に予め「常連番組」ボタンを設けておき、このボタンを押すことによって自動的に番組表の常連番組の欄の表示を、表示装置１０を利用しているユーザに対応するものに切り換えることができる。なお、常連番組の記録部２２への保存は、自動的に行なえばよい。これにより、番組表には、操作指示を送っているユーザの視聴頻度の高い番組が強調表示されるので、ユーザは番組の選局を容易に行なうことができる。
【０１５４】
また、リモコン受光部２０が所定時間内に複数の異なる識別情報を受信した場合、表示用情報作成部３０は、複数の識別情報に対応する複数の視聴履歴情報を取得し、取得した複数の視聴履歴情報に基づき番組表を作成してもよい。
【０１５５】
例えば、表示装置１０を利用しているユーザがお母さん及び子供である場合、お母さん及び子供が過去に視聴した番組の番組情報を組み合わせて常連番組の欄を表示することができる。これにより、所定時間内に複数のユーザが表示装置１０に対して操作指示を送っていたとしても、各ユーザの視聴頻度の高い番組を強調表示することにより、ユーザの嗜好を反映させることができる。
【０１５６】
また、他にも、記録部２２に任意のチャンネル番号を識別情報と対応付けて記録させておき、表示装置１０を利用しているユーザに対応するチャンネル番号に該当する番組を自動的に表示させるようにしてもよい。
【０１５７】
＜第２の実施形態＞
本発明の別の実施形態について図７〜図１７に基づいて説明すれば、以下のとおりである。
【０１５８】
〔表示装置１０’の構成〕
まず、第２の実施形態に係る表示装置１０’の構成及び表示装置１０’を操作する制御装置２００の構成について、図７を参照して説明する。図７は、表示装置１０’の構成及び表示装置１０’を操作する制御装置２００の構成を示すブロック図である。
【０１５９】
図７に示すように、表示装置１０’は、表示部１１、リモコン受光部２０’、カメラ１３及び制御装置２００を備えている。また、制御装置２００は、指示取得部１１０、ユーザ登録部１２０、処理設定部１３０、記録部１４０、ユーザ認識部１５０、表示制御部１６０及び処理実行部１７０を備えている。また、表示装置１０’は、リモコン１００’からのリモコン信号を受信可能に構成されている。
【０１６０】
表示部１１は、制御装置２００からの指示に基づいて映像を表示する。具体的には、表示部１１は、ＬＣＤ、ＥＬ（Electroluminescence）ディスプレイ、ＰＤＰ（Plasma Display Panel）などの表示素子と、受信した映像信号に基づいて表示素子を駆動するドライバ回路とを備える構成である。なお、映像には、絵や図形の他、文字も含まれ、また、静止画及び動画も含まれる。
【０１６１】
リモコン受光部２０’は、リモコン１００’からリモコン信号を受信する。上記リモコン信号は、例えば、赤外線などの光で受信することができるが、これに限定されるものではない。リモコン受光部２０’は、受信したリモコン信号を、制御装置２００に送信する。
【０１６２】
カメラ１３は、表示装置１０’の周囲（例えば表示装置を視聴しているユーザが存在するであろう領域）を撮影できる位置に設けられている。カメラ１３は、表示装置１０’の周囲を撮影して撮影画像情報を生成する。なお、カメラ１３には、例えば、ＣＣＤ（Charge Coupled Device）カメラを用いればよいが、これに限定されるものではない。なお、カメラ１３は表示装置１０’と一体とした構成ではなく、表示装置１０’と別個の構成としてもよい。
【０１６３】
（制御装置２００）
制御装置２００は、表示装置１０’内の各種構成を統括的に制御するものである。制御装置２００が備える指示取得部１１０、ユーザ登録部１２０、処理設定部１３０、記録部１４０、ユーザ認識部１５０、表示制御部１６０及び処理実行部１７０について、以下に説明する。
【０１６４】
指示取得部１１０は、リモコン１００’からの操作によるユーザからの指示（リモコン信号）を、リモコン受光部２０’から取得する。指示取得部１１０は、取得したリモコン信号に応じて、ユーザ登録部１２０、処理設定部１３０、ユーザ認識部１５０及び処理実行部１７０に操作指示を送信する。具体的には、指示取得部１１０は、取得したリモコン信号がユーザのユーザ名や該ユーザの顔情報を記録する指示を示す信号である場合、ユーザ登録部１２０にユーザ登録指示を送信する。また、指示取得部１１０は、取得したリモコン信号がユーザによって実行指示が可能な複数の処理の組み合わせ（ユーザ特有処理）を設定する指示を示す信号である場合、処理設定部１３０に特有処理設定指示を送信する。また、指示取得部１１０は、取得したリモコン信号が、記録部１４０に予め記録されているユーザを認識する指示を示す信号である場合、ユーザ認識部１５０にユーザ認識指示を送信する。また、指示取得部１１０は、取得したリモコン信号が、ユーザ特有処理のうち少なくとも１つを実行する指示を示す信号である場合、処理実行部１７０に特有処理実行指示を送信する。
【０１６５】
ユーザ登録部１２０は、指示取得部１１０からのユーザ登録指示に従って、表示装置１０’を視聴しているユーザのユーザ名とユーザの顔情報とを関連付けたデータ（以下、ユーザ情報と呼ぶ）を記録部１４０へ記録する。ユーザの顔情報とは、例えば、カメラ１３から取得した撮影画像情報から抽出された目じりや眉の位置などユーザの顔の特徴点を示す情報を指す。
【０１６６】
処理設定部１３０は、指示取得部１１０からの特有処理設定指示に従って、ユーザ特有処理の内容を設定する。特有処理設定指示とは、例えば、ユーザ特有処理がユーザマクロの場合、ユーザマクロの内容の設定の開始の指示、ユーザマクロを構成する個々の処理の内容を伝える指示、ユーザマクロの内容の設定の終了の指示によって構成されている。また、ユーザ特有処理が後述の優先ＡＶポジションである場合、特有処理設定指示とは、ある画質を優先画質として指定する指示である。また、該ユーザ特有処理を表すユーザ特有処理の名称を設定する。処理設定部１３０は、ユーザ特有処理の内容を構成する処理を入力したユーザのユーザ情報と内容を設定した該ユーザ特有処理と該ユーザ特有処理の名称とを関連付けたデータを記録部１４０に記録する。
【０１６７】
ユーザ特有処理の内容は、ユーザの指示に従って複数の処理を組み合わせて設定することが可能である。また、ユーザ特有処理の内容は、処理設定部１３０が記録部１４０から取得したユーザ特有処理の内容を構成する処理を入力したユーザのユーザ情報に対応付けられた、過去所定の時間内に該ユーザが入力した実行指示の履歴より、設定することも可能である。ユーザ特有処理の内容の設定の具体例については、後述する（設定例１）から（設定例３）で詳しく説明する。
【０１６８】
記録部１４０は、ユーザとユーザの顔情報とを関連付けたデータであるユーザ情報が記録されている。また、ユーザ特有処理の内容を構成する処理を入力したユーザのユーザ情報と内容を設定した該ユーザ特有処理と該ユーザ特有処理の名称とを関連付けたデータが記録されている。加えて、記録部１４０は、過去所定の時間内にユーザが入力した実行指示の履歴と、該ユーザに対応するユーザ情報とを関連付けたデータが記録されている。
【０１６９】
ここで、「過去所定の時間」とは、例えば、過去１時間、２時間等でもよい。例えば、過去所定の時間は予めユーザ認識部１５０に記録されており、ユーザ認識部１５０が過去所定の時間内にユーザが入力した実行指示の履歴と、該ユーザに対応するユーザ情報とを関連付けて記録部１４０に記録させ、ユーザ認識部１５０が過去所定の時間よりもさらに過去に記録したデータについてはユーザ認識部１５０が消去する動作を行ってもよい。ここではユーザ認識部１５０が過去所定の時間内にユーザが入力した実行指示の履歴と該ユーザに対応するユーザ情報とを関連付けたデータの管理をする場合について説明するが、記録部１４０内の当該データを管理するための別の部を制御装置２００内又は制御装置２００とは別個に設けてもよい。
【０１７０】
また、記録部１４０は、各種データ及びプログラムを記憶するものである。記録部１４０の例としては、制御装置２００が動作するときに必要なプログラム等の固定データを記憶する読出し専用の半導体メモリであるＲＯＭと、演算に使用するデータ及び演算結果等を一時的に記憶するいわゆるワーキングメモリとしてのＲＡＭとが挙げられる。
【０１７１】
なお、記録部１４０は、制御装置２００内に構成されなくてもよい。つまり、制御装置２００とは別に表示装置１０’内に構成してもよいし、表示装置１０’とは別の構成としてもよい。
【０１７２】
ユーザ認識部１５０は、指示取得部１１０からのユーザ認識指示に従って、記録部１４０に予め記録されているユーザを認識する（ユーザ認識工程）。ユーザ認識部１５０は、カメラ１３にて生成された撮影画像情報をカメラ１３から取得し、該撮影画像情報からユーザの顔の特徴点を示すユーザの顔情報を抽出する。ユーザ認識部１５０は、抽出したユーザの顔情報と、記録部１４０に予め記録されているユーザのユーザ情報に含まれるユーザの顔情報とを照合する。なお、この照合方法は公知であるので、その説明を省略する。照合した結果、記録部１４０に記録されているユーザの顔情報の何れかと、撮影画像情報から抽出したユーザの顔情報との一致率が予め定められた値よりも高い（一致率が高い）場合、一致率が高いユーザの顔情報を含むユーザ情報を記録部１４０から取得する。ユーザ認識部１５０は、取得したユーザ情報を表示制御部１６０に送信する。また、ユーザ認識部１５０は、照合した結果、記録部１４０に記録されているユーザの顔情報の何れかと、撮影画像情報から抽出したユーザの顔情報との一致率が予め定められた値よりも低い（一致率が低い）場合、表示部１１に人物特定エラー（特定エラー）を表示させる。特定エラーを表示する方法としては、例えば、画面の一部（例えば左下等）にＯＳＤ表示する方法が挙げられるがこれに限定されない。なお、表示部１１が映像を表示可能ではない状態のときは特定エラーを表示しなくてもよい。
【０１７３】
表示制御部１６０は、ユーザ認識部１５０が認識したユーザに対して予め対応付けられている少なくとも１つの処理であるユーザ特有処理の名称を表示部１１に表示させる（表示工程）。具体的には、表示制御部１６０は、ユーザ認識部１５０から取得したユーザ情報に対応付けられたユーザ特有処理の名称を、記録部１４０から取得し、表示部１１に表示させる。
【０１７４】
処理実行部１７０は、指示取得部１１０からの特有処理実行指示に従って、該特有処理実行指示が示す処理を実行する（処理実行工程）。具体的には、処理実行部１７０は、ユーザが選択したユーザ特有処理を特定する情報、つまり、表示部１１に表示されたユーザ特有処理の名称のうち、ユーザによって選択された少なくとも１つのユーザ特有処理の名称を、ユーザから受け付けたリモコン受光部２０’を介して指示取得部１１０から受信し、該ユーザ特有処理の名称に対応するユーザ特有処理を記録部１４０から取得し、取得した該ユーザ特有処理を実行する。また、処理実行部１７０は実行結果を表示部１１に表示させる。
【０１７５】
〔制御装置２００の動作〕
制御装置２００の動作について、図８を用いて以下に説明する。図８は、制御装置２００におけるユーザ認識工程、表示工程及び処理実行工程の一連の流れを示すフローチャートである。
【０１７６】
図８に示すように、ユーザ認識部１５０が指示取得部１１０からのユーザ認識指示を取得すると、カメラ１３はユーザの顔画像を撮影する（ステップＳ３１）。なお、指示取得部１１０がユーザ認識指示をユーザ認識部１５０に送信するタイミングとしては、カメラ１３の撮像可能範囲にユーザが入ったことをカメラ１３が認識して、その認識をユーザ認識部に伝えたタイミング（つまり、ユーザが撮像可能範囲に入ると自動的に撮影が始まる）、ユーザが表示装置１０’の電源を入れた後に、初めて表示装置１０’に対して何らかの操作を行ったタイミング、後述のようにユーザ特有処理が映像の画質（ＡＶポジション）に優先度をつける設定である場合はリモコン１００’の一覧表示ボタンが押下されたタイミング等が挙げられる。
【０１７７】
ユーザ認識部１５０は、カメラ１３にて撮影された画像の撮影画像情報をカメラ１３から取得し、該撮影画像情報からユーザの顔の特徴点を示すユーザの顔情報を抽出する。ユーザ認識部１５０は、抽出したユーザの顔情報と、記録部１４０に予め記録されているユーザのユーザ情報に含まれるユーザの顔情報とを照合する（ステップＳ３２）。照合した結果、記録部１４０に記録されているユーザの顔情報の何れかと、撮影画像情報から抽出したユーザの顔情報との一致率が低い（ユーザを認識できなかった）場合（ステップＳ３２においてＮｏ）、ユーザ認識部１５０は、表示部１１に特定エラーを表示させる（ステップＳ３３）。記録部１４０に記録されているユーザの顔情報の何れかと、撮影画像情報から抽出したユーザの顔情報との一致率が高い（ユーザを認識できた）場合（ステップＳ３２においてＹｅｓ）、ユーザ認識部１５０は、認識されたユーザの顔情報を含むユーザ情報を表示制御部１６０に送信する。表示制御部１６０は、ユーザ認識部１５０から取得したユーザ情報に予め対応付けられているユーザ特有処理の名称を、記録部１４０から取得し、表示部１１に表示させる（ステップＳ３４）。ステップＳ３４により、ユーザは、表示された少なくとも１つのユーザ特有処理の名称を、表示部１１を見ることで確認でき、そのうちの少なくとも１つを選択できる。ユーザがユーザ特有処理の名称のうち少なくとも１つを選択した後、処理実行部１７０は、該ユーザ特有処理の名称に対応するユーザ特有処理を記録部１４０から取得し、取得した該ユーザ特有処理を実行する（ステップＳ３５）。
【０１７８】
この構成によって、制御装置２００は、予めユーザ特有処理を記録しておけば、ユーザが認識されたことを契機として、ユーザ特有処理を実行する。従って、ユーザは入力操作をすることなしに所望の処理を表示装置１０’に実行させることができ、ユーザが入力操作を行う手間を省くことができる。
【０１７９】
（ユーザ特有処理の設定及び実行の例）
以下では、ユーザ特有処理を設定する手順及び設定したユーザ特有処理を実行する手順の具体的な例について図９〜図１７を参照して説明する。
【０１８０】
（設定例１）
以下では、ユーザ特有処理を設定する手順の第１の例について図９及び図１０を参照して説明する。本例では、ユーザが表示装置１０’で行う操作をユーザ特有処理（ユーザマクロ）とする。
【０１８１】
図９は、ユーザマクロの設定の手順を示す図である。図９に示すように、ユーザマクロの設定を開始する（ステップＳ４１）と、表示装置１０’は、ユーザ選択画面を表示する。ユーザ選択画面には、記録部１４０に記録されているユーザ名の一覧が表示される。例えば、記録部１４０に記録されているユーザ名が図９に示すように、お父さん、お母さん、お兄さん、・・・の場合、ユーザ選択画面には、お父さん、お母さん、お兄さん、・・・と表示される。ユーザは、該ユーザ選択画面より、ユーザマクロを設定するユーザのユーザ名を選択する（ステップＳ４２）。なお、表示されるユーザ名の順番はこの限りではない。ユーザ選択画面にてユーザ名が選択されると、ユーザマクロの内容の設定が開始される。ユーザは、ユーザマクロの内容を構成する処理を入力する。ユーザによるユーザマクロの内容を構成する処理の入力が終了した後、ユーザマクロの内容の設定を終了する（ステップＳ４３）。ユーザマクロの内容の設定が終了すると、ユーザは該ユーザマクロの名称（項目名）を入力する。また、設定内容を確認する画面などに項目名とともに表示されるアイコンのデザインを選択する。その後、設定内容を確認する画面が表示され、設定を終了する（ステップＳ４４）。
【０１８２】
なお、上記各ステップは、ここに説明した順でなくてもよい。例えば、ユーザマクロの内容の設定は、ユーザ名の選択の前でもよい。以下では、ユーザ名の選択の前にユーザマクロの内容の設定を行う場合におけるユーザマクロの設定の手順を、図１０を参照して説明する。
【０１８３】
図１０の（ａ）は、リモコン１００’の構成例を示す図である。図１０の（ａ）に示すとおり、リモコン１００’は記録開始ボタンを備えている。ユーザがリモコン１００’の記録開始ボタンを押下することにより、処理設定部１３０はユーザマクロの設定を開始する。これは、図９におけるステップＳ４１に該当する。また、ユーザマクロの内容の設定をユーザ名の選択の前に行うため、ステップＳ４３におけるユーザマクロの内容の設定もステップＳ４１と同時に開始されることとなる。
【０１８４】
図１０の（ｂ）は、ユーザマクロの内容の設定における操作設定の実行画面の例を示す。具体的には図１０の（ｂ）は、表示装置１０’の映像入力を「現在の入力」から「入力４」に入力切替画面上で切り替える動作を設定する画面である。ここで入力切替画面とは、図１０の（ｂ）に示すような、表示装置１０’の映像入力をユーザの指示により切り替えることが可能な画面であり、切替可能な映像入力の種類が一覧で表示される画面である。また、現在の入力とは、現在、表示装置１０’に表示されている映像入力の種類を示す。例えば、「現在の入力」が「ＴＶ」である場合、入力切替画面には切替可能な映像入力の種類が一覧表示され、カーソルは「ＴＶ」を指す。ユーザは、入力切替画面を表示し、カーソルを下に４つ動かし、「入力４」を選択することで、表示装置１０’の映像入力を「ＴＶ」から「入力４」に切り替える操作を行う。なお、入力の切り替えは、これに限定されるものではない。例えば、リモコン１００’に備えられた「入力４」に切り替える切替ボタンを押下することで切り替えることも可能である。この動作は、ステップＳ４３における操作設定に該当する。
【０１８５】
図１０の（ｃ）は、リモコン１００’の構成例を示す図である。図１０の（ｃ）に示すとおり、リモコン１００’は、記録終了ボタンを備えている。ユーザがリモコン１００’の記録終了ボタンを押下することにより、処理設定部１３０はユーザマクロの内容の設定を終了する。この動作は、ステップＳ４３におけるユーザマクロの内容の設定終了に該当する。
【０１８６】
図１０の（ｄ）は、ユーザ選択画面の例を示す。記録部１４０に記録されているユーザ名が、お父さん、お母さん、お姉さん及び光男である場合、表示装置１０’は、図１０の（ｄ）に示すとおり、お父さん、お母さん、お姉さん及び光男を一覧表示する。ユーザは、該ユーザ選択画面より、ユーザマクロを登録するユーザのユーザ名を選択する。図１０の（ｄ）では、「お母さん」を選択する例を表している。これはステップＳ４２に該当する。
【０１８７】
図１０の（ｅ）は、このユーザマクロに対する項目名を設定する画面である。上記画面より、任意の項目名を入力する。図１０の（ｆ）は、設定内容を確認する画面などに項目名とともに表示されるアイコンのデザインを選択する画面である。ユーザは、アイコンデザイン一覧より、好みのアイコンを選択することができる。ユーザは、カーソルを動かしアイコンを選択する。ここでは、楕円型のアイコンを選択している。図１０の（ｇ）は、図１０の（ｄ）から図１０の（ｆ）までの画面で選択したデータの確認画面を表示する画面である。これにより、ユーザのユーザマクロの設定が終了する。これはステップＳ４４に該当する。
【０１８８】
なお、図１０に示した表示装置１０’における各画面の構成は、これに限定されるものではない。また、各画面に表示する方法は、ＯＳＤ機能を用いて表示する方法を用いてもよいし、画面の一部に表示する方法を用いてもよい。また、リモコン１００’の構成はこれに限定されるものではない。
【０１８９】
（実行例１）
以下では、表示装置１０’を視聴しているユーザがユーザ特有処理を実行する手順の第１の例について図１１を参照して説明する。本例では、上述した設定例１で設定したユーザ特有処理の実行の手順を、図１１を参照して説明する。
【０１９０】
図１１の（ａ）は、リモコン１００’の構成例を示す図である。図１１の（ａ）に示すとおり、リモコン１００’は、一覧表示ボタンを備えている。ユーザが一覧表示ボタンを押下すると、カメラ１３にて顔画像を撮影し、ユーザ認識部１５０はユーザの認証を行う。つまり、表示装置１０’は、図８のステップＳ３１及びステップＳ３２の処理を実行する。
【０１９１】
図１１の（ｂ）は、認識されたユーザがステップＳ４４で設定したユーザマクロの項目名を、表示装置１０’に一覧表示する場合の表示例である。図１１の（ｂ）に示すとおり、設定例１にて設定した項目名「ビデオきりかえ」が一覧の中に表示されている。つまり、表示装置１０’は、ステップＳ３４の処理を実行する。
【０１９２】
ユーザが図１１の（ｂ）の表示装置１０’に表示されたユーザマクロの項目名より、設定例１で設定した項目名「ビデオきりかえ」を選択した場合、表示装置１０’の映像入力が「現在の入力」から「入力４」に切り替わる。図１１の（ｃ）は、表示装置１０’の映像入力が「現在の入力」から「入力４」に切り替わったことを示す図である。
【０１９３】
なお、本例では、ユーザマクロの項目名を１つ選択する例を示したが、これに限定されるものではなく、ユーザマクロの項目名は複数選択することが可能である。
【０１９４】
なお、図１１に示した表示装置１０’における各画面の構成は、これに限定されるものではない。また、各画面に表示する方法は、ＯＳＤ機能を用いて表示する方法を用いてもよいし、画面の一部に表示する方法を用いてもよい。また、リモコン１００’の構成はこれに限定されるものではない。
【０１９５】
設定例１及び実行例１より、処理設定部１３０はユーザの指示に従って複数の処理を組み合わせることでユーザマクロの内容を設定することができる。また、該ユーザマクロの内容を予め設定することにより、ユーザが認識されたことを契機として、該ユーザマクロが実行されるため、ユーザは入力操作を行う手間を省くことができる。
【０１９６】
（設定例２）
以下では、表示装置１０’を視聴しているユーザがユーザ特有処理を設定する手順の第２の例について図１２及び図１３を参照して説明する。本例では、表示装置１０’に表示される映像の画質（ＡＶポジション）に優先度をつける設定をユーザ特有処理（優先ＡＶポジション）とする。
【０１９７】
図１２は、優先ＡＶポジションの設定の流れを示す図である。図１２に示すように、優先ＡＶポジションの設定を開始する（ステップＳ５１）と、表示装置１０’は、ユーザ選択画面を表示する。ユーザ選択画面には、記録部１４０に記録されているユーザ名の一覧が表示される。例えば、記録部１４０に記録されているユーザ名がお父さん、お母さん、お兄さん、・・・の場合、ユーザ選択画面には、お父さん、お母さん、お兄さん、・・・と表示される。ユーザは、該ユーザ選択画面より、ある画質を優先画質として指定するユーザのユーザ名を選択する（ステップＳ５２）。なお、表示されるユーザ名の順番はこの限りではない。ユーザ選択画面にてユーザ名が選択されると、表示装置１０’は、ＡＶポジション選択画面を表示する。ユーザは、ＡＶポジションとして設定する画質を選択する（ステップＳ５３）。ＡＶポジションとして設定可能な画質は、予め表示装置１０’に設定されている画質でもよいし、ユーザが調整した画質でもよい。また、現在視聴している映像の画質（現在の設定）にしてもよい。画質の選択が終了すると、ユーザは、ＡＶポジションの名称（項目名）を入力する。また、設定内容を確認する画面などに項目名とともに表示されるアイコンのデザインを選択する（ステップＳ５４）。ステップＳ５４終了後、表示装置１０’は、優先度をつけられたＡＶポジションに設定されている項目名を、現在の優先ポジションとして表示する。また、表示装置１０’は、ステップＳ５３で設定した項目名と過去に設定した項目名を、優先度設定画面に表示する。ユーザは、現在の優先ポジションを変更したい場合、ユーザは優先度設定画面より項目名を選択する。その後、表示装置１０’は、設定内容を確認する画面を表示する。これにより、優先ＡＶポジションの設定が完了する（ステップＳ５５）。なお、優先度設定画面に表示される項目名はこれに限定されるものではない。例えば、過去に他のユーザが設定した項目名を表示してもよいし、表示装置１０’が予め設定している項目名を表示してもよい。
【０１９８】
なお、上記各ステップは、ここに説明した順でなくてもよい。例えば、画質の選択は、ユーザ名の選択の前でもよい。以下では、ユーザ名の選択の前に画質の選択を行う場合における優先ＡＶポジションの設定の処理の流れを図１３を参照して説明する。
【０１９９】
図１３の（ａ）は、ＡＶポジション選択画面の例を示す。図１３の（ａ）に示すとおり、優先ＡＶポジションの設定を開始後、表示装置１０’は、ＡＶポジション選択画面を表示する。ユーザは、ＡＶポジションとして設定する画質を選択する。図１３の（ａ）では、現在の設定を選択している。この処理は、図１２におけるステップＳ５３に該当する。
【０２００】
図１３の（ｂ）は、ユーザ選択画面の例を示す。記録部１４０に記録されているユーザ名が、お父さん、お母さん、お姉さん及び光男である場合、表示装置１０’は、図１３の（ｂ）に示すとおり、お父さん、お母さん、お姉さん及び光男を一覧表示する。ユーザは、該ユーザ選択画面より、ＡＶポジションを設定するユーザのユーザ名を選択する。図１３の（ｂ）では、「お父さん」を選択する例を表している。この処理は、ステップＳ５２に該当する。
【０２０１】
図１３の（ｃ）は、ＡＶポジションに対する項目名を設定する画面である。ユーザは、任意の項目名を入力することができる。図１３の（ｄ）は、設定内容を確認する画面などに項目名とともに表示されるアイコンのデザインを選択する画面である。ユーザは、アイコンデザイン一覧より、好みのアイコンを選択することができる。ここでは、ユーザは楕円型のアイコンを選択している。この処理は、ステップＳ５４に該当する。
【０２０２】
図１３の（ｅ）は、優先度設定画面の例である。表示装置１０’は、優先度をつけられたＡＶポジションに設定されている項目名を、現在の優先ポジションとして表示する。図１３の（ｅ）に示すとおり、現在の優先ポジションは「映画」に設定されている。また、表示装置１０’は、図１３の（ｃ）で設定した項目名と過去に設定した項目名を、優先度設定画面に表示する。現在の優先ポジションを「映画」から「じぶんがしつ」に変更したい場合、ユーザは優先度設定画面より、「じぶんがしつ」を選択する。図１３の（ｆ）は、図１３の（ａ）〜図１３の（ｅ）までの画面で選択したデータの確認画面を表示する画面である。これにより優先ＡＶポジションの設定が終了する。これはステップＳ５５に該当する。
【０２０３】
なお、図１０に示した表示装置１０’における各画面の構成は、これに限定されるものではない。また、各画面に表示する方法は、ＯＳＤ機能を用いて表示する方法を用いてもよいし、画面の一部に表示する方法を用いてもよい。また、リモコン１００’の構成はこれに限定されるものではない。
【０２０４】
（実行例２）
以下では、表示装置１０’を視聴しているユーザがユーザ特有処理を実行する手順の第２の例について図１４〜図１６を参照して説明する。本例では、上述した設定例２で設定したユーザ特有処理の実行の流れを説明する。
【０２０５】
図１４の（ａ）は、リモコン１００’の構成例を示す図である。図１４の（ａ）に示すとおり、リモコン１００’は、一覧表示ボタンを備えている。一覧表示ボタンを押下すると、カメラ１３にて顔画像を撮影し、ユーザの認証を行う。つまり、表示装置１０’は、図８のステップＳ３１及びステップＳ３２の処理を行う。
【０２０６】
図１４の（ｂ）は、認識されたユーザがステップＳ５４で設定した項目名を、表示装置１０’に一覧表示する場合の表示例である。図１４の（ｂ）に示すとおり、設定例２にて設定した項目名「じぶんがしつ」が一覧の中に表示されている。つまり、表示装置１０’は、ステップＳ３４の処理を行う。
【０２０７】
ユーザが図１４の（ｂ）の表示装置１０’に表示された項目名より、「映画」を選択した場合、表示装置１０’の現在の優先ポジションが「映画」に設定される。図１４の（ｃ）は、表示装置１０’の現在の優先ポジションが「映画」に設定されたことを示す確認画面である。
【０２０８】
図１５は、表示装置１０’が表示している映像の画質が、現在の設定からユーザが設定している現在の優先ポジションの画質に自動的に切り替える処理を示したフローチャートである。図１５に示すとおり、表示装置を視聴しているユーザ（視聴者）の認識を開始する（ユーザ認識部１５０が指示取得部１１０からのユーザ認識指示を取得する）と、ユーザ認識部１５０は、カメラ１３にて撮影された画像の撮影画像情報をカメラ１３から取得し、該撮影画像情報からユーザの顔の特徴点を示すユーザの顔情報を抽出する。ユーザ認識部１５０は、抽出したユーザの顔情報と、記録部１４０に予め記録されているユーザのユーザ情報に含まれるユーザの顔情報とを照合する（ステップＳ６１）。照合した結果、記録部１４０に記録されているユーザの顔情報の何れかと、撮影画像情報から抽出したユーザの顔情報との一致率が低い（ユーザを認識できなかった）場合（ステップＳ６１においてＮｏ）、表示装置１０’は、特定エラーを表示する（ステップＳ６２）。記録部１４０に記録されているユーザの顔情報の何れかと、撮影画像情報から抽出したユーザの顔情報との一致率が高い（ユーザを認識できた）場合（ステップＳ６１においてＹｅｓ）、認識されたユーザが設定している現在の優先ポジションに画質を変更する（ステップＳ６３）。
【０２０９】
上記より、表示装置１０’を視聴しているユーザの現在の優先ポジションを「映画」に設定した場合、表示装置１０’は、表示する映像の画質を「現在の設定」から「映画」に変更する。図１６は、表示装置１０’のＡＶポジションが「現在の設定」から「映画」に変更したことを示す図である。
【０２１０】
なお、図１４及び図１６に示した表示装置１０’における各画面の構成は、これに限定されるものではない。また、各画面に表示する方法は、ＯＳＤ機能を用いて表示する方法を用いてもよいし、画面の一部に表示する方法を用いてもよい。また、リモコン１００’の構成はこれに限定されるものではない。
【０２１１】
設定例２及び実行例２より、処理設定部１３０は優先ＡＶポジション設定を行うことができる。また、該優先ＡＶポジション設定の内容を予め設定し、該優先ＡＶポジション設定を実行することにより現在の優先ポジションを設定することができる。これにより、ユーザが認識されたことを契機として、表示装置１０’に表示される映像の画質が該ユーザの現在の優先ポジションに変更されるため、ユーザは入力操作を行う手間を省くことができる。
【０２１２】
（設定例３）
以下では、表示装置１０’を視聴しているユーザがユーザ特有処理を設定する手順の第３の例について図１７を用いて説明する。本例では、表示装置１０’に対してユーザが入力した実行指示の履歴から選択した処理をユーザ特有処理として設定する。
【０２１３】
ユーザ特有処理の設定を開始する（ステップＳ７１）と、表示装置１０’は、ユーザ選択画面を表示する。ユーザ選択画面には、記録部１４０に記録されているユーザ名の一覧が表示される。例えば、記録部１４０に記録されているユーザ名がお父さん、お母さん、お兄さん、・・・の場合、ユーザ選択画面には、お父さん、お母さん、お兄さん、・・・と表示される。ユーザは、該ユーザ選択画面より、ユーザ特有処理を設定するユーザのユーザ名を選択する（ステップＳ７２）。なお、表示されるユーザ名の順番はこの限りではない。ユーザ選択画面にてユーザ名が選択されると、ユーザ特有処理の内容を設定する。表示装置１０’は、履歴一覧画面を表示する。履歴一覧画面には、記録部１４０に記録されている上記ユーザのユーザ情報に対応する過去所定の時間内に該ユーザが入力した実行指示の履歴の一覧が表示される。ユーザは、設定したい操作を１つ以上選択する（ステップＳ７３）。ユーザ特有処理の内容の設定が終了すると、該ユーザ特有処理の名称（項目名）を入力する。また、設定内容を確認する画面などに項目名とともに表示されるアイコンのデザインを選択する。その後、設定内容を確認する画面が表示され、設定を終了する（ステップＳ７４）。
【０２１４】
なお、上記各ステップは、ここに説明した順でなくてもよい。例えば、ユーザ特有処理の内容の設定は、ユーザ名の選択の前でもよい。
【０２１５】
上記設定例３で設定したユーザ特有処理は、上述した実行例１と同様の手順で実行することが可能である。
【０２１６】
このように、ユーザ特有処理の内容をユーザが入力した実行指示の履歴から設定することで、ユーザ特有処理の内容を設定するための入力操作をわざわざ行わなくても、通常の入力操作の履歴からユーザ特有処理の内容を設定することができる。これにより、ユーザがユーザ特有処理の内容を設定するための入力操作の手間を省くことができる。
【０２１７】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０２１８】
＜その他の形態＞
第１の実施形態に係る表示装置（テレビジョン受像機）１０は、例えば図１８に示すように外部カメラ４０を備える構成であってもよく、表示装置１０と外部カメラ４０とをＨＤＭＩレシーバ４１を介して、ＨＤＭＩ規格に準拠したインターフェイス手段により接続してもよい。この場合、外部カメラ４０によってユーザの顔を撮影し、撮影した画像をユーザ特定部２１に送る。このとき、予め記録部２２に各ユーザの顔の画像を記録しておけば、ユーザ特定部２１が外部カメラ４０によって撮影された画像に対応する画像が記録部２２に記録されているか確認し、その結果を指示部２３に送って、撮影されたユーザの好みの設定を反映することができる。
【０２１９】
また、第２の実施形態では、表示装置１０’の本体にカメラ１３を内蔵して、ユーザの顔を撮影する形態について説明したが、図１９に示すように、表示装置１０’と外部カメラ５０とをＨＤＭＩレシーバ５１を介して、ＨＤＭＩ規格に準拠したインターフェイス手段により接続してもよい。なお、図１８，１９ではＨＤＭＩ規格を採用した場合について示しているが、ＵＳＢ規格、Ｗｉ−Ｆｉ規格、ＤＬＮＡ通信規格等に準拠したインターフェイス手段により接続を実現してもよい。
【０２２０】
また、図２０に示すように、外部カメラ５０は、カメラ付き携帯電話５３に搭載されたカメラであってもよい。図２０では、カメラ付き携帯電話５３はＨＤＭＩケーブル５４を介して表示装置１０’に接続している。また、伝送路は有線であっても、無線であってもよい。なお、図１８に示す表示装置１０に具備される外部カメラ４０も同様に、カメラ付き携帯電話に搭載されたカメラであってもよい。
【０２２１】
また、表示装置１０’の本体に備えたカメラ１３と外部カメラ５０との両方のカメラを併用してユーザの視聴位置を特定しユーザの顔検出制度を高くすることができる。
【０２２２】
さらに、図１８，１９に示すように表示装置１０，１０’は人感センサ４２，５２を備えてもよい。また、人感センサ４２，５２の代わりに、又は、人感センサ４２，５２と共に視線検出センサを備えてもよい。表示装置１０，１０’に人感センサ４２，５２及び／又は視線検出センサを内蔵して、人の動き及び／又は視線を検出して、ユーザがいるときのみ、カメラで撮影するように制御すれば、表示装置１０，１０’本体の消費電力を削減することができる。
【０２２３】
また、表示装置１０’のカメラ１３の本体を回転及び追尾駆動式にして、人感センサ５２と連動させて、動くユーザの方向に追尾してユーザの顔を撮影するようにしてもよい。
【０２２４】
また、表示装置１０，１０’は、インターネットに接続した上で、Ｓｋｙｐｅ（登録商標）のソフトウェアを組み込んでＳｋｙｐｅ（登録商標）の機能を実現できるようにしてもよい。その場合、表示装置１０がマイク４３をさらに備え、表示装置１０’では音声制御部５３、マイク５４、及びスピーカ５５をさらに備えるとよい。そして、指示部２３、制御装置２００にそれぞれＳｋｙｐｅ（登録商標）の機能を実現するためのソフトウェアを組み込むことによって、ユーザがＳｋｙｐｅ（登録商標）の機能を利用できる。図１９の表示装置１０’を例に挙げて具体的に説明すると、表示装置１０’が、外部カメラ５０（又は第２の実施形態のような内蔵のカメラ１３）で撮影したユーザの姿及びマイク５４に吹き込まれたユーザにより発せられた音声を、インターネットを介して通話の相手に送信して、通話の相手から送信される通話の相手の姿を表示部１１に表示し、通話の相手の発する音声を表示装置１０’本体のスピーカ５５又は表示装置１０’本体のヘッドホン端子（図示しない）に接続された外部接続のヘッドホン（図示しない）から発すればよい。
【０２２５】
＜プログラム及び記録媒体＞
最後に、表示装置１０，１０’及び制御装置２００に含まれている各部（各ブロック）は、ハードウェアロジックによって構成すればよい。又は、次のように、ＣＰＵを用いてソフトウェアによって実現してもよい。
【０２２６】
すなわち、表示装置１０，１０’及び制御装置２００は、各機能を実現するプログラムの命令を実行するＣＰＵ、このプログラムを格納したＲＯＭ、上記プログラムを実行可能な形式に展開するＲＡＭ、及び、上記プログラム及び各種データを格納するメモリ等の記憶装置（記録媒体）を備えている。この構成により、本発明の目的は、所定の記録媒体によっても、達成できる。
【０２２７】
この記録媒体は、上述した機能を実現するソフトウェアである表示装置１０，１０’及び制御装置２００のプログラムのプログラムコード（実行形式プログラム、中間コードプログラム、ソースプログラム）をコンピュータで読み取り可能に記録していればよい。表示装置１０，１０’及び制御装置２００に、この記録媒体を供給する。これにより、コンピュータとしての表示装置１０，１０’及び制御装置２００（又はＣＰＵやＭＰＵ）が、供給された記録媒体に記録されているプログラムコードを読み出し、実行すればよい。
【０２２８】
プログラムコードを表示装置１０，１０’及び制御装置２００に供給する記録媒体は、特定の構造又は種類のものに限定されない。すなわちこの記録媒体は、たとえば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などとすることができる。
【０２２９】
また、表示装置１０，１０’及び制御装置２００を通信ネットワークと接続可能に構成しても、本発明の目的を達成できる。この場合、上記のプログラムコードを、通信ネットワークを介して表示装置１０，１０’及び制御装置２００に供給する。この通信ネットワークは表示装置１０，１０’及び制御装置２００にプログラムコードを供給できるものであればよく、特定の種類又は形態に限定されない。例えば、インターネット、イントラネット、エキストラネット、ＬＡＮ、ＩＳＤＮ、ＶＡＮ、ＣＡＴＶ通信網、仮想専用網（Ｖｉｒｔｕａｌ  Ｐｒｉｖａｔｅ  Ｎｅｔｗｏｒｋ）、電話回線網、移動体通信網、衛星通信網等であればよい。
【０２３０】
この通信ネットワークを構成する伝送媒体も、プログラムコードを伝送可能な任意の媒体であればよく、特定の構成又は種類のものに限定されない。例えばＩＥＥＥ１３９４、ＵＳＢ（Ｕｎｉｖｅｒｓａｌ  Ｓｅｒｉａｌ  Ｂｕｓ）、電力線搬送、ケーブルＴＶ回線、電話線、ＡＤＳＬ（Ａｓｙｍｍｅｔｒｉｃ  Ｄｉｇｉｔａｌ  Ｓｕｂｓｃｒｉｂｅｒ  Ｌｉｎｅ）回線等の有線でも、ＩｒＤＡやリモコンのような赤外線、Ｂｌｕｅｔｏｏｔｈ（登録商標）、８０２．１１無線、ＨＤＲ（ｈｉｇｈ  ｄａｔａ  ｒａｔｅ）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０２３１】
本発明は、テレビジョン受像機等の表示装置として好適に利用することができる。
【符号の説明】
【０２３２】
１０、１０’  表示装置
１２          実行部（実行手段）
１３          カメラ
２０、２０’  リモコン受光部（受信部）
２１          ユーザ特定部
２２          記録部
２３          指示部
２４          映像処理部（画質調整手段）
１１，２５    表示部
２６          音声処理部（音質調整手段）
２７          スピーカ（音声出力部）
２８          登録部（登録手段）
２９          算出部
３０          表示用情報作成部（番組表作成手段、録画表作成手段）
１００，１００’  リモコン
１１０        指示取得部
１２０        ユーザ登録部
１３０        処理設定部
１４０        記録部
１５０        ユーザ認識部
１６０        表示制御部
１７０        処理実行部
２００        制御装置
【図１】
2011229135.tif 000003
【図２】
2011229135.tif 000004
【図３】
2011229135.tif 000005
【図４】
2011229135.tif 000006
【図５】
2011229135.tif 000007
【図６】
2011229135.tif 000008
【図７】
2011229135.tif 000009
【図８】
2011229135.tif 000010
【図９】
2011229135.tif 000011
【図１０】
2011229135.tif 000012
【図１１】
2011229135.tif 000013
【図１２】
2011229135.tif 000014
【図１３】
2011229135.tif 000015
【図１４】
2011229135.tif 000016
【図１５】
2011229135.tif 000017
【図１６】
2011229135.tif 000018
【図１７】
2011229135.tif 000019
【図１８】
2011229135.tif 000020
【図１９】
2011229135.tif 000021
【図２０】
2011229135.tif 000022
【手続補正書】
【提出日】平成23年6月10日(2011.6.10)
【手続補正１】
【補正対象書類名】特許請求の範囲
【補正対象項目名】全文
【補正方法】変更
【補正の内容】
【特許請求の範囲】
【請求項１】
映像を表示する表示部を備え、操作端末によって操作される表示装置であって、
自装置の動作を実行する実行手段と、
上記操作端末から送信された、該操作端末を使用しているユーザを識別するための識別情報を含む信号を受信する受信部とを備え、
上記実行手段は、上記識別情報と、上記実行手段が上記動作を実行する際の設定情報との対応情報を複数記録する記録部が記録する複数の対応情報の中から、上記受信部が受信した識別情報に対応する上記設定情報を取得し、取得した上記設定情報で上記動作を実行するように構成されており、
上記記録部は、上記識別情報と優先度とを対応付けて記録しており、
上記受信部が所定時間内に複数の異なる上記識別情報を受信した場合、上記実行手段は、複数の上記識別情報のうち、上記優先度の高い識別情報に対応する上記設定情報で上記動作を実行することを特徴とする表示装置。
【請求項２】
映像を表示する表示部を備え、操作端末によって操作される表示装置であって、
自装置の動作を実行する実行手段と、
上記操作端末から送信された、該操作端末を使用しているユーザを識別するための識別情報を含む信号を受信する受信部とを備え、
上記実行手段は、上記識別情報と、上記実行手段が上記動作を実行する際の設定情報との対応情報を複数記録する記録部が記録する複数の対応情報の中から、上記受信部が受信した識別情報に対応する上記設定情報を取得し、取得した上記設定情報で上記動作を実行するように構成されており、
上記受信部が所定時間内に複数の異なる上記識別情報を受信した場合、上記実行手段は、複数の上記識別情報に対応する複数の上記設定情報を取得し、取得した複数の設定情報のうち、最も多い設定情報で上記動作を実行することを特徴とする表示装置。
【請求項３】
映像を表示する表示部を備え、操作端末によって操作される表示装置であって、
自装置の動作を実行する実行手段と、
上記操作端末から送信された、該操作端末を使用しているユーザを識別するための識別情報を含む信号を受信する受信部とを備え、
上記実行手段は、上記識別情報と、上記実行手段が上記動作を実行する際の設定情報との対応情報を複数記録する記録部が記録する複数の対応情報の中から、上記受信部が受信した識別情報に対応する上記設定情報を取得し、取得した上記設定情報で上記動作を実行するように構成されており、
上記受信部が第１の所定時間内に複数の異なる上記識別情報を受信した場合、上記実行手段は、第２の所定時間内に上記識別情報をそれぞれ受信した比率と、受信した識別情報に対応する上記設定情報とに基づき、上記動作を実行すべき設定情報を決定し、決定した設定情報で上記動作を実行することを特徴とする表示装置。
【請求項４】
映像を表示する表示部を備え、操作端末によって操作される表示装置であって、
自装置の動作を実行する実行手段と、
上記操作端末から送信された、該操作端末を使用しているユーザを識別するための識別情報を含む信号を受信する受信部と、
番組の放送波を受信する放送波受信部と、
上記放送波受信部が受信する番組に関する番組情報を取得する取得手段と、を備え、
上記実行手段は、上記識別情報と、上記実行手段が上記動作を実行する際の設定情報との対応情報を複数記録する記録部が記録する複数の対応情報の中から、上記受信部が受信した識別情報に対応する上記設定情報を取得し、取得した上記設定情報で上記動作を実行するように構成されており、
上記実行手段は、上記取得手段が取得した番組情報に基づき番組表を作成し、作成した番組表を上記表示部に表示する番組表作成手段を含み、
上記設定情報は、上記ユーザが過去に視聴した番組の視聴履歴情報であり、
上記番組表作成手段は、上記受信部が受信した識別情報に対応する上記視聴履歴情報を取得し、上記取得手段が取得した番組情報の中から上記視聴履歴情報に基づき上記ユーザの視聴頻度の高い番組を選択し、選択した番組を強調表示するような番組表を作成するように構成されており、
上記受信部が所定時間内に複数の異なる上記識別情報を受信した場合、上記番組表作成手段は、複数の上記識別情報に対応する複数の上記視聴履歴情報を取得し、取得した複数の視聴履歴情報に基づき番組表を作成することを特徴とする表示装置。
【請求項５】
映像を表示する表示部を備え、操作端末によって操作される表示装置であって、
自装置の動作を実行する実行手段と、
上記操作端末から送信された、該操作端末を使用しているユーザを識別するための識別情報を含む信号を受信する受信部と、
番組の放送波を受信する放送波受信部と、を備え、
上記実行手段は、上記識別情報と、上記実行手段が上記動作を実行する際の設定情報との対応情報を複数記録する記録部が記録する複数の対応情報の中から、上記受信部が受信した識別情報に対応する上記設定情報を取得し、取得した上記設定情報で上記動作を実行するように構成されており、
上記実行手段は、上記放送波受信部が受信した番組を録画する録画部に録画した番組の一覧表を作成し、作成した一覧表を上記表示部に表示する録画表作成手段を含み、
上記設定情報は、上記ユーザが録画指示した録画履歴情報であり、
上記録画表作成手段は、上記受信部が受信した識別情報に対応する上記録画履歴情報を取得し、取得した録画履歴情報に対応する番組の一覧表を作成するように構成されており、
上記受信部が所定時間内に複数の異なる上記識別情報を受信した場合、上記録画表作成手段は、複数の上記識別情報に対応する複数の上記録画履歴情報を取得し、取得した複数の上記録画履歴情報に基づき、複数の上記ユーザが録画指示した番組を組み合わせた上記一覧表を作成することを特徴とする表示装置。
【請求項６】
映像を表示する表示部を備え、操作端末によって操作される表示装置であって、
自装置の動作を実行する実行手段と、
上記操作端末から送信された、該操作端末を使用しているユーザを識別するための識別情報を含む信号を受信する受信部とを備え、
上記実行手段は、上記識別情報と、上記実行手段が上記動作を実行する際の設定情報との対応情報を複数記録する記録部が記録する複数の対応情報の中から、上記受信部が受信した識別情報に対応する上記設定情報を取得し、取得した上記設定情報で上記動作を実行するように構成されており、
上記実行手段は、上記映像の画質を調整し、調整された映像を上記表示部に表示する画質調整手段を含み、
上記設定情報は、上記画質調整手段が上記画質を調整するための設定値であり、
上記画質調整手段は、上記受信部が受信した識別情報に対応する上記設定値を取得し、取得した上記設定値で上記画質を調整するように構成されており、
上記受信部が所定時間内に複数の異なる上記識別情報を受信した場合、上記実行手段は、複数の上記識別情報に対応する複数の上記設定値を取得し、取得した複数の設定値の平均値で上記動作を実行することを特徴とする表示装置。
【請求項７】
番組の放送波を受信する放送波受信部と、
上記放送波受信部が受信する番組に関する番組情報を取得する取得手段とを備え、
上記実行手段は、上記取得手段が取得した番組情報に基づき番組表を作成し、作成した番組表を上記表示部に表示する番組表作成手段を含み、
上記設定情報は、上記ユーザが過去に視聴した番組の視聴履歴情報であり、
上記番組表作成手段は、上記受信部が受信した識別情報に対応する上記視聴履歴情報を取得し、上記取得手段が取得した番組情報の中から上記視聴履歴情報に基づき上記ユーザの視聴頻度の高い番組を選択し、選択した番組を強調表示するような番組表を作成することを特徴とする請求項１〜３、６のいずれか１項に記載の表示装置。
【請求項８】
番組の放送波を受信する放送波受信部を備え、
上記実行手段は、上記放送波受信部が受信した番組を録画する録画部に録画した番組の一覧表を作成し、作成した一覧表を上記表示部に表示する録画表作成手段を含み、
上記設定情報は、上記ユーザが録画指示した録画履歴情報であり、
上記録画表作成手段は、上記受信部が受信した識別情報に対応する上記録画履歴情報を取得し、取得した録画履歴情報に対応する番組の一覧表を作成することを特徴とする請求項１〜３、６のいずれか１項に記載の表示装置。
【請求項９】
上記実行手段は、上記映像の画質を調整し、調整された映像を上記表示部に表示する画質調整手段を含み、
上記設定情報は、上記画質調整手段が上記画質を調整するための設定値であり、
上記画質調整手段は、上記受信部が受信した識別情報に対応する上記設定値を取得し、取得した上記設定値で上記画質を調整することを特徴とする請求項１〜５のいずれか１項に記載の表示装置。
【請求項１０】
音声を出力する音声出力部を備え、
上記実行手段は、上記音声の音質を調整し、調整された音声を上記音声出力部に出力する音質調整手段を含み、
上記設定情報は、上記音質調整手段が上記音質を調整するための設定値であり、
上記音質調整手段は、上記受信部が受信した識別情報に対応する上記設定値を取得し、取得した上記設定値で上記音質を調整することを特徴とする請求項１〜５のいずれか１項に記載の表示装置。
【請求項１１】
上記受信部を介してのユーザからの指示により、上記設定値を決定し、決定した上記設定値を上記識別情報と対応づけて上記記録部の上記対応情報に登録する登録手段を備えていることを特徴とする請求項９又は１０に記載の表示装置。
【請求項１２】
請求項１〜１１のいずれか１項に記載の表示装置を備えることを特徴とするテレビジョン受像機。
【請求項１３】
請求項１〜１１までのいずれか１項に記載の表示装置の各手段としてコンピュータを動作させるためのプログラム。
【請求項１４】
請求項１３に記載のプログラムを記載したコンピュータ読み取り可能な記録媒体。
【請求項１５】
映像を表示する表示部と、自装置の動作を実行する実行手段と、信号を受信する受信部とを備え、操作端末によって操作される表示装置の制御方法であって、
上記受信部が、上記操作端末から送信された、該操作端末を使用しているユーザを識別するための識別情報を含む信号を受信する受信工程と、
上記実行手段が、上記識別情報と上記動作を実行する際の設定情報との対応情報が複数記録された記録部を参照して、上記受信部が上記受信工程にて受信した識別情報に対応する上記設定情報を取得し、取得した上記設定情報で上記動作を実行する実行工程とを含み、
上記記録部は、上記識別情報と優先度とを対応付けて記録しており、
上記受信部が上記受信工程にて所定時間内に複数の異なる上記識別情報を受信した場合、上記実行手段は、上記実行工程にて、複数の上記識別情報のうち、上記優先度の高い識別情報に対応する上記設定情報で上記動作を実行することを特徴とする表示装置の制御方法。
【請求項１６】
映像を表示する表示部と、自装置の動作を実行する実行手段と、信号を受信する受信部とを備え、操作端末によって操作される表示装置の制御方法であって、
上記受信部が、上記操作端末から送信された、該操作端末を使用しているユーザを識別するための識別情報を含む信号を受信する受信工程と、
上記実行手段が、上記識別情報と、上記動作を実行する際の設定情報との対応情報が複数記録された記録部を参照して、上記受信部が上記受信工程にて受信した識別情報に対応する上記設定情報を取得し、取得した上記設定情報で上記動作を実行する実行工程とを含み、
上記受信部が上記受信工程にて所定時間内に複数の異なる上記識別情報を受信した場合、上記実行手段は、上記実行工程にて、複数の上記識別情報に対応する複数の上記設定情報を取得し、取得した複数の設定情報のうち、最も多い設定情報で上記動作を実行することを特徴とする表示装置の制御方法。
【請求項１７】
映像を表示する表示部と、自装置の動作を実行する実行手段と、信号を受信する受信部とを備え、操作端末によって操作される表示装置の制御方法であって、
上記受信部が、上記操作端末から送信された、該操作端末を使用しているユーザを識別するための識別情報を含む信号を受信する受信工程と、
上記実行手段が、上記識別情報と、上記動作を実行する際の設定情報との対応情報が複数記録された記録部を参照して、上記受信部が上記受信工程にて受信した識別情報に対応する上記設定情報を取得し、取得した上記設定情報で上記動作を実行する実行工程とを含み、
上記受信部が上記受信工程にて第１の所定時間内に複数の異なる上記識別情報を受信した場合、上記実行手段は、上記受信工程にて、第２の所定時間内に上記識別情報をそれぞれ受信した比率と、受信した識別情報に対応する上記設定情報とに基づき、上記動作を実行すべき設定情報を決定し、決定した設定情報で上記動作を実行することを特徴とする表示装置の制御方法。
【請求項１８】
映像を表示する表示部と、自装置の動作を実行する実行手段と、信号を受信する受信部と、番組の放送波を受信する放送波受信部と、番組情報を取得する取得手段と、を備え、操作端末によって操作される表示装置の制御方法であって、
上記受信部が、上記操作端末から送信された、該操作端末を使用しているユーザを識別するための識別情報を含む信号を受信する受信工程と、
上記取得手段が、上記放送波受信部が受信する番組に関する番組情報を取得する取得工程と、
上記実行手段が、上記識別情報と、上記動作を実行する際の設定情報との対応情報が複数記録された記録部を参照して、上記受信部が上記受信工程にて受信した識別情報に対応する上記設定情報を取得し、取得した上記設定情報で上記動作を実行する実行工程とを含み、
上記実行工程は、上記実行手段が備える番組表作成手段が、上記取得手段により取得された番組情報に基づき番組表を作成し、作成した番組表を上記表示部に表示する番組表作成工程を含み、
上記設定情報は、上記ユーザが過去に視聴した番組の視聴履歴情報であり、
上記番組表作成工程は、上記番組表作成手段が、上記受信部が受信した識別情報に対応する上記視聴履歴情報を取得し、上記取得手段により取得された番組情報の中から上記視聴履歴情報に基づき上記ユーザの視聴頻度の高い番組を選択し、選択した番組を強調表示するような番組表を作成する工程であり、
上記番組表作成工程は、上記受信部が上記受信工程にて所定時間内に複数の異なる上記識別情報を受信した場合に、上記番組表作成手段が、上記複数の上記識別情報に対応する複数の上記視聴履歴情報を取得し、取得した複数の視聴履歴情報に基づき番組表を作成する工程であることを特徴とする表示装置の制御方法。
【請求項１９】
映像を表示する表示部と、自装置の動作を実行する実行手段と、信号を受信する受信部と、番組の放送波を受信する放送波受信部と、を備え、操作端末によって操作される表示装置の制御方法であって、
上記受信部が、上記操作端末から送信された、該操作端末を使用しているユーザを識別するための識別情報を含む信号を受信する受信工程と、
上記実行手段が、上記識別情報と、上記動作を実行する際の設定情報との対応情報が複数記録された記録部を参照して、上記受信部が上記受信工程にて受信した識別情報に対応する上記設定情報を取得し、取得した上記設定情報で上記動作を実行する実行工程とを含み、
上記実行工程は、上記実行手段が備える録画表作成手段が、上記放送波受信部が受信した番組を録画する録画部に録画した番組の一覧表を作成し、作成した一覧表を上記表示部に表示する録画表作成工程を含み、
上記設定情報は、上記ユーザが録画指示した録画履歴情報であり、
上記録画表作成工程は、上記録画表作成手段が、上記受信部が受信した識別情報に対応する上記録画履歴情報を取得し、取得した録画履歴情報に対応する番組の一覧表を作成する工程であり、
上記録画表作成工程は、上記受信部が所定時間内に複数の異なる上記識別情報を受信した場合、上記録画表作成手段が、複数の上記識別情報に対応する複数の上記録画履歴情報を取得し、取得した複数の上記録画履歴情報に基づき、複数の上記ユーザが録画指示した番組を組み合わせた上記一覧表を作成する工程であることを特徴とする表示装置の制御方法。
【請求項２０】
映像を表示する表示部と、自装置の動作を実行する実行手段と、信号を受信する受信部と、番組の放送波を受信する放送波受信部と、を備え、操作端末によって操作される表示装置の制御方法であって、
上記受信部が、上記操作端末から送信された、該操作端末を使用しているユーザを識別するための識別情報を含む信号を受信する受信工程と、
上記実行手段が、上記識別情報と、上記動作を実行する際の設定情報との対応情報が複数記録された記録部を参照して、上記受信部が上記受信工程にて受信した識別情報に対応する上記設定情報を取得し、取得した上記設定情報で上記動作を実行する実行工程とを含み、
上記実行工程は、上記実行手段が備える画質調整手段が、上記映像の画質を調整し、調整された映像を上記表示部に表示する画質調整工程を含み、
上記設定情報は、上記画質調整手段が上記画質を調整するための設定値であり、
上記画質調整工程は、上記画質調整手段が、上記受信部が受信した識別情報に対応する上記設定値を取得し、取得した上記設定値で上記画質を調整する工程であり、
上記実行工程は、上記受信部が所定時間内に複数の異なる上記識別情報を受信した場合に、上記実行手段が、複数の上記識別情報に対応する複数の上記設定値を取得し、取得した複数の設定値の平均値で上記動作を実行する工程であることを特徴とする表示装置の制御方法。